(57)【要約】【課題】風力発電装置−タワー用のタワーリングセグメントの接続部の保守頻度を低減する風力発電装置−タワーリングセグメント、風力発電装置−タワー部分、風力発電装置−タワーおよび風力発電装置、並びに風力発電装置−タワーリングセグメントの製造方法および２つのタワーリングセグメントの接続方法を提供する。【解決手段】風力発電装置−タワーリングセグメント（２１０）に装入するための接続体、すなわち第１の接続体（３００，４００）であって、第１の端部（３１１，４１１）および第２の端部（３１２，４１２）を備えるアンカロッド（３１０，４１０）と、前記アンカロッド（３１０，４１０）の第１の端部（３１１，４１１）に配置された接続フランジ（４３０）であって、前記接続体（３００，４００）を、さらなる風力発電装置−タワーリングセグメント（２２０）に装入される第２の接続体（３０１，４０１）と接続し、それにより２つの風力発電装置−タワーリングセグメント（２１０，２２０）を接続し、少なくともそれらの接続を支援するための接続フランジと、前記アンカロッド（３１０，４１０）の第２の端部（３１２，４１２）に隣接する部分に配置された２つ、３つまたはそれ以上のアンカ要素（３１３，４１３）と、を含む。【選択図】図２
2019513920.tif 000002
【特許請求の範囲】
【請求項１】
風力発電装置−タワーリングセグメント（２１０）に装入するための接続体、すなわち第１の接続体（３００，４００）であって、
第１の端部（３１１，４１１）および第２の端部（３１２，４１２）を備えるアンカロッド（３１０，４１０）と、
前記アンカロッド（３１０，４１０）の第１の端部（３１１，４１１）に配置された接続フランジ（４３０）であって、前記接続体（３００，４００）を、さらなる風力発電装置−タワーリングセグメント（２２０）に装入される第２の接続体（３０１，４０１）と接続し、それにより２つの風力発電装置−タワーリングセグメント（２１０，２２０）を接続し、少なくともそれらの接続を支援するための接続フランジと、
前記アンカロッド（３１０，４１０）の第２の端部（３１２，４１２）に隣接する部分に配置された２つ、３つまたはそれ以上のアンカ要素（３１３，４１３）と、を含む接続体。
【請求項２】
前記アンカ要素（３１３，４１３）は、前記アンカロッド（３１０，４１０）の長手軸から実質的に直交して離れるように伸長している、
および／または
前記アンカ要素（３１３，４１３）はスタッドボルトとして構成されている、ことを特徴とする請求項１に記載の接続体（３００，４００）。
【請求項３】
前記アンカロッド（３１０，４１０）の上側および前記アンカロッド（３１０，４１０）の下側には、それぞれ同数のアンカ要素（３１３，４１３）が、好ましくは対向して、配置されている、ことを特徴とする請求項１または２に記載の接続体（３００，４００）。
【請求項４】
前記接続フランジ（４３０）は２つの開口部を有し、当該開口部はそれぞれ１つの固定手段（４５１，４５２）により貫通されるように構成されており、前記接続フランジ（４３０）の開口部は、好ましくはそれぞれ１つの内ネジを有する、ことを特徴とする請求項１から３のいずれか一項に記載の接続体（３００，４００）。
【請求項５】
前記アンカロッド（３１０，４１０）は、その長手軸に対して直交する、円形または矩形の断面を有する、ことを特徴とする請求項１から４のいずれか一項に記載の接続体（３００，４００）。
【請求項６】
前記接続フランジ（４３０）および／または前記アンカ要素（３１３，４１３）は、前記アンカロッド（３１０，４１０）と材料的に結合して、好ましくは溶接により、接続されている、ことを特徴とする請求項１から５のいずれか一項に記載の接続体（３００，４００）。
【請求項７】
前記接続フランジ（４３０）および／または前記アンカ要素（３１３，４１３）および／または前記アンカロッド（３１０，４１０）は鋼を有するか、または鋼から作製されている、ことを特徴とする請求項１から６のいずれか一項に記載の接続体（３００，４００）。
【請求項８】
風力発電装置−タワーリングセグメント（２１０）であって、前記風力発電装置−タワーリングセグメント（２１０）は外套セグメントとして、好ましくはコンクリート体として、構成されており、少なくとも１つのさらなる風力発電装置−タワーリングセグメント（２２０）の突合せ箇所に宛がうための２つの突合せ箇所と、各突合せ箇所の領域にある少なくとも１つの切欠部（２３０）とを有し、
前記タワーリングセグメントには各突合せ箇所の領域においてそれぞれ１つの接続体、とりわけ請求項１から７のいずれか一項による接続体（３００，４００）が装入されており、これによりアンカロッド（３１０，４１０）の第２の端部（３１２，４１２）がアンカ要素（３１３，４１３）と共に風力発電装置−タワーリングセグメント（２１０）内に隠され、かつ前記アンカロッド（３１０，４１０）の第１の端部（３１１，４１１）が接続フランジ（４３０）と共に切欠部（２３０）に突き出ている、風力発電装置−タワーリングセグメント。
【請求項９】
少なくとも第１と第２の風力発電装置−タワーリングセグメント（２１０，２２０）、とりわけ請求項１から８のいずれか一項による第１と第２の風力発電装置−タワーリングセグメント（２１０，２２０）を含む風力発電装置−タワー部分（２００）であって、
前記２つの風力発電装置−タワーリングセグメント（２１０，２２０）は、それぞれ外套セグメントとして、好ましくはコンクリート体として、構成されており、それらの突合せ箇所が少なくとも１つの実質的に垂直の突合せ部（２５０）において互いに突き合っており、
前記第１と第２の風力発電装置−タワーリングセグメント（２１０，２２０）には、各突合せ箇所の領域においてそれぞれ１つの接続体、とりわけ請求項１から８のいずれか一項による接続体（３００，３０１，４００，４０１）が装入されており、これによりアンカロッド（３１０，４１０）の第２の端部（３１２，４１２）がアンカ要素（３１３，４１３）と共に風力発電装置−タワーリングセグメント（２１０）内に隠され、かつ前記アンカロッド（３１０，４１０）の第１の端部（３１１，４１１）が接続フランジ（４３０）と共に切欠部（２３０）に突出し、
前記突合せ部（２５０）の領域では、第１と第２の風力発電装置−タワーリングセグメント（２１０，２２０）の接続体（３００，３０１，４００，４０１）の前記接続フランジ（４３０，４４０）が互いに接続されている、風力発電装置−タワー部分。
【請求項１０】
第１と第２の風力発電装置−タワーリングセグメント（２１０，２２０）の接続体（３００，３０１，４００，４０１）の前記接続フランジ（４３０，４４０）は、固定手段（４５１，４５２）を介して、好ましくは脱着可能に、互いに結合されている、請求項９に記載の風力発電装置−タワー部分（２００）。
【請求項１１】
規定どおりに上下に重ねて配置された複数の、請求項９または１０による風力発電装置−タワー部分（２００）を含む風力発電装置−タワー（１０２）であって、隣接する風力発電装置−タワー部分（２００）の突合せ部（２５０）は、好ましくは互いにずらして宛がわれている、風力発電装置−タワー。
【請求項１２】
請求項１１による風力発電装置−タワー（１０２）を含む風力発電装置（１００）。
【請求項１３】
風力発電装置−タワーリングセグメント、とりわけ請求項１０による風力発電装置−タワーリングセグメント（２１０）の製造方法であって、
・風力発電装置−タワーリングセグメント（２１０）を製造するためのコンクリート型枠または型枠を準備する工程、
・接続体、とりわけ請求項１から９のいずれか一項による接続体（３００，４００）をコンクリート型枠または型枠内に、前記接続体（３００，４００）のアンカロッド（３１０，４１０）の第１の端部（３１１，４１１）が接続フランジ（４３０）と共に突合せ箇所の領域に配置された切欠部（２３０）から突き出るように位置決めする工程、
・前記コンクリート型枠または型枠にコンクリートを流し込む工程、
・コンクリートを硬化させる工程、
・前記コンクリート型枠または型枠から風力発電装置−タワーリングセグメント（２１０）を取り外す工程、
を含む製造方法。
【請求項１４】
２つの風力発電装置−タワーリングセグメント（２１０，２２０）を１つの風力発電装置−タワー部分、とりわけ請求項１１または１２による風力発電装置−タワー部分（２００）に接続する方法であって、
・少なくとも１つの第１と第２の風力発電装置−タワーリングセグメント、とりわけ請求項１０による第１と第２の風力発電装置−タワーリングセグメント（２１０，２２０）を提供する工程、
・第１と第２の風力発電装置−タワーリングセグメント（２１０，２２０）の２つの接続フランジ（４３０，４４０）を互いに接続する工程、
を含む接続方法。
【請求項１５】
請求項１から７のいずれか一項による接続体のための組付け装置（５０）であって、
・第１のあて板部材（５１１）を含む第１の組付け要素（５１０）と、第２のあて板部材（５２１）を含む第２の組付け要素（５２０）と、を有し、
・前記第１のあて板部材には、少なくとも２つの第１の支柱（５１２，５１５）が互いに離間されて当該第１のあて板部材の同じ側に配置されており、
・前記第２のあて板部材には、少なくとも２つの第２の支柱（５２２，５２５）が互いに離間されて当該第２のあて板部材の同じ側に配置されており、
前記第１と第２の支柱は、接続された２つの接続体のアンカロッドが、直交する方向で第１と第２のあて板部材の間に締め付けられるように対向して配置され構成されている、組付け装置。
【発明の詳細な説明】
【技術分野】
【０００１】
本発明は、接続体、風力発電装置−タワーリングセグメント、風力発電装置−タワー部分、風力発電装置−タワーおよび風力発電装置、並びに風力発電装置−タワーリングセグメントの製造方法および２つの発電装置−タワーリングセグメントの接続方法に関する。さらに本発明は、２つの風力発電装置−タワー部分の接続方法および接続体のための組付け装置に関する。
【背景技術】
【０００２】
風力発電装置は実質的に、少なくとも１つのロータブレードを有するロータを含み、前記ロータブレードは空気流によって回転運動され、これにより回転子を介して発電機を駆動する。ここで発電機は、一般的にナセルの内部に配置されている。ナセルは、好ましくはタワーの上に配置されており、タワーは、鉄筋コンクリートおよび／またはプレストレストコンクリートを含むか、またはそれらから作製されたコンクリートタワーとして、または鉄鋼タワーとして構成されている。コンクリートタワーは、とりわけ大部分がコンクリートから作製されたタワーであるが、一部は別の材料、好ましくは鋼から作製するか、またはこの材料を含むことができる。この種のタワーは好ましくはパイプ状の幾何形状を有し、タワーの直径は、その縦伸長方向に沿ってナセルに向かって減少する。風力発電装置−タワーの直径は、時として８メートルを上回ることがある。
【０００３】
タワーは通常、複数の風力発電装置−タワー部分を含み、これらタワー部分は、既定の高さを備えるリング状の幾何形状を有する。さらにリング状に構成された壁は厚さを有する。風力発電装置−タワー部分は、好ましくはタワーの縦伸長方向に沿って、端面が実質的に完全に互いに当接するように互いに配置されている。
【０００４】
風力発電装置−タワー部分は、しばしば複数の風力発電装置−タワーリングセグメントを含む。これは、とりわけ風力発電装置の設置場所への風力発電装置−タワー部分の輸送、とりわけ搬入を、大きさの小さい構成部分によって簡単にするためである。とりわけこのことは、タワーの下方領域に配置されている風力発電装置−タワー部分に当てはまる。風力発電装置−タワー部分は、例えばそれぞれが風力発電装置−タワー部分の１８０度（180 Bogengrad）セグメントを形成する２つのタワーリングセグメントから組み立てることができる。このタワーリングセグメントは、好ましくはプレキャストコンクリートとして工業的にあらかじめ製造され、風力発電装置の設置場所でタワーの建造時に組み立てられ、互いに接続される。
【０００５】
タワーリングセグメントは、これらがリング状の風力発電装置−タワー部分を形成するように組み立てられる。２つのセグメントを使用する場合、組み立てによって実質的に垂直に延在する２つの分離継ぎ目が発生する。分離継ぎ目は、タワーリングセグメントのそれぞれ２つの突合せ箇所が互いに突き合う箇所に発生する。これらの突合せ箇所では、公知のタワーリングセグメントの場合、通常は補強部および／または接続要素の一部分が部分的に突き出ており、これによりタワーリングセグメントをここで互いに接続することができる。接続は好ましくはボルト（Riegel）によって行われる。このボルトは、第１の突合せ箇所から突き出たタワーリングセグメントの補強部を、第２の突合せ箇所から突き出たさらなるタワーリングセグメントの補強部と接続する。残った垂直の継ぎ目は、一般的に引き続きモルタルで埋められる。
【０００６】
用語「風力発電装置−タワーリングセグメント」と「タワーリングセグメント」は、明示的に格別に説明しない場合、同義語として使用される。このことは、風力発電装置−タワー部分とタワー部分、並びに風力発電装置−タワーとタワーに対しても同様に当てはまる。
【先行技術文献】
【特許文献】
【０００７】
【特許文献１】DE 10 2010 005 991 A1
【特許文献２】DE 20 2006 017 510 U1
【発明の概要】
【発明が解決しようとする課題】
【０００８】
ここで不利なのは、このことは、部分リングセグメントの製造においても、部分リングセグメントの接続においても、大きな労力と手間暇に結び付いていることである。さらにこの形式の接続は、この領域における補強部分ないし接続部分に腐食の危険性をもたらし、この腐食は接続を念入りに実施しても発生することがある。さらに部分リングセグメントの達成可能な位置決め精度が互いに制限されており、通常は約±１０ｍｍの範囲である。さらに例えばモルタル処理は、低温の場合に問題となり得る。
【０００９】
全体として接続部、とりわけネジ接続部は、この種の突合せ部、ないしここに発生する継ぎ目に対して通常は高い要求を課せられ、そのため通常は短い保守間隔を必要とするが、これは実施には人手が掛かるため高いコストを伴う。
【００１０】
ドイツ特許商標庁は、本願の優先権の基礎となる出願において以下の従来技術を調査した。DE 10 2010 005 991 A1 および DE 20 2006 017 510 U1。
【００１１】
したがって本発明の基礎とする課題は、前記欠点の１つまたは複数を回避または除去する接続体、風力発電装置−タワーリングセグメント、風力発電装置−タワー部分、風力発電装置−タワーおよび風力発電装置、並びに風力発電装置−タワーリングセグメントの製造方法および２つのタワーリングセグメントの接続方法を提供することである。とりわけ本発明の課題は、風力発電装置−タワー用のタワーリングセグメントの接続部の保守頻度（Wartungsintensitaet）を低減する風力発電装置−タワーリングセグメント、風力発電装置−タワー部分、風力発電装置−タワーおよび風力発電装置、並びに風力発電装置−タワーリングセグメントの製造方法および２つのタワーリングセグメントの接続方法を提供することである。さらに本発明の課題は、２つの風力発電装置−タワー部分の改善された接続方法および接続体のための改善された組付け装置を提供することである。
【課題を解決するための手段】
【００１２】
この課題は本発明の第１の視点によれば、接続体、すなわち風力発電装置−タワーリングセグメントに装入するための接続体によって解決される。この接続体は、第１および第２の端部を備えるアンカロッドと、このアンカロッドの第１の端部に配置された接続フランジであって、前記接続体をさらなる風力発電装置−タワーリングセグメントに装入される第２の接続体と接続し、これにより２つの風力発電装置−タワーリングセグメントを接続し、少なくともそれらの接続を支援するための接続フランジと、アンカロッドの第２の端部に隣接する部分に配置された２つ、３つまたはそれ以上のアンカ要素と、を含む。
【発明を実施するための形態】
【００１３】
接続体は、風力発電装置−タワーリングセグメントに装入するために構成されている。風力発電装置−タワーは、通常、規定どおりに上下に重ねて配置された複数の風力発電装置−タワー部分を含み、これら風力発電装置−タワー部分はとりわけ外套セグメント（複数）として構成されており、リング状の幾何形状を有する。風力発電装置−タワー部分の直径が時として大きいことがあるため、これら風力発電装置−タワー部分はしばしば風力発電装置−タワーリングセグメントを含む。この風力発電装置−タワーリングセグメント（複数）は、個々の風力発電装置−タワー部分のリング部分である。風力発電装置−タワー部分は、２つ以上の風力発電装置−タワーリングセグメントを含むことができ、とりわけ２つのタワーリングセグメントを個別の１つのタワー部分に使用することが特に好ましい。したがってタワーリングセグメントは、タワー部分の例えばそれぞれ１８０度セグメントである。しかし風力発電装置−タワー部分は３つ以上のタワーリングセグメントを含むこともできる。タワーリングセグメントは、好ましくはコンクリート、とりわけ鉄筋コンクリートおよび／またはプレストレストコンクリートから作製されるか、またはそれらを含む。タワーリングセグメントは好ましくは、風力発電装置−タワーがこれに課せられる剛性要求を満たすように互いに接続される。
【００１４】
本発明の基礎とする課題は、タワーリングセグメントと関連して、力関係（Kraftverhaeltnisse）が所要の保守頻度に格別の影響を及ぼすようにすることである。とりわけ保守頻度が小さいことは、接続部、とりわけネジ接続部を非常に稀にだけ、すなわち非常に多くの運転時間の後に検査すればよいことを特徴とする。とりわけネジ接続部は、保守頻度が小さい場合、非常に多くの運転時間の後にだけ締め直せばよい。力が実質的にまたは専ら接続要素の軸方向に経過し、接続要素が十分に引張負荷を受け、とりわけせん断負荷および／せん断応力負荷を低減できるように接続部が設計されている場合、保守頻度は格段に小さい。このことはとりわけ、ネジ接続部に対して当てはまり、ネジは大部分が、または専ら軸方向の引張負荷を受ける。
【００１５】
接続体をタワーリングセグメントに装入することにより、とりわけ接続体の一部分が、実質的にタワーリングセグメント内に、とりわけタワーリングセグメントを形成する壁の中に配置されるようになる。かくてタワーリングセグメントは接続体の一部分を取り囲み、したがって接続体は実質的にタワーリングセグメント内に堅固に固定される。接続体は、好ましくはすでにタワーリングセグメントの製造プロセス中にタワーリングセグメントに装入（埋設）される。
【００１６】
接続体のアンカロッドは第１の端部と第２の端部を有し、これらの端部の間でアンカロッドは縦方向に伸長する。アンカロッドの断面はアンカロッドの実質的な縦軸に対して直交しており、好ましくは矩形であり、長手伸長部に対して実質的に直交するように配向された横方向広がりと、長手伸長部に対して実質的に直交し、かつ前記横方向広がりに対して直交する幅を有する。この幅は、横方向広がりよりも格段に小さな寸法を有することができ、したがってアンカロッドは長く引き伸ばされたプレートとして構成されている。さらに好ましくは幅は、横方向広がりの寸法よりも小さい寸法を有する。さらに幅は、横方向広がりと同じ寸法を有することができ、したがってアンカロッドは正方形の断面を有する。さらに好ましくは幅は、横方向広がりよりも大きな寸法を有する。さらに好ましくはアンカロッドの断面は、多角形、円形、楕円形または幾何学的に未定義（不定形）に構成することができる。
【００１７】
アンカロッドの第１の端部には接続フランジが配置されている。接続フランジは、接続体を、さらなる風力発電装置−タワーリングセグメントに装入される第２の接続体と接続するように構成されている。接続フランジは、好ましく実質的に矩形のエレメントとして構成されており、このエレメントは、アンカロッドに横方向広がりに対して平行なフランジ横方向広がり、アンカロッドの幅に対して平行な高さ、およびアンカロッドの長手伸長部に対して平行なフランジ幅を有する。ここで好ましくはフランジ横方向広がりは、アンカロッドの横方向広がりよりも大きな寸法を有し、および／または高さは、アンカロッドの幅よりも大きな寸法を有する。フランジ横方向広がりと接続フランジの高さは、扁平な伸長部を形成し、この伸長部の面垂線はアンカロッドの縦方向広がりに対して実質的に平行に延在する。
【００１８】
さらにアンカロッドは好ましくは、接続フランジの扁平な伸長部の中央に配置されており、この中央は横方向広がりの中央および／または高さの中央に関連することができる。接続フランジの伸長部は、アンカロッドの前記伸長部に対して平行に延在しなくてもよく、したがってこれらの間にゼロ度ではない角度が生じる。接続フランジはさらに、正方形、三角形、多角形または楕円形の断面を有することができる。その代わりに好ましくは接続フランジは、丸い断面、とりわけ円形の断面を有する。
【００１９】
接続フランジの外周面は、好ましくは部分的にまたは完全に、アンカロッドの外周面よりもアンカロッドの中央軸からさらに離間している。とりわけこの外周面は、好ましくは接続フランジに含まれる開口部を通って固定手段が貫通案内可能であるように離間されている。接続フランジの幅は、好ましくは、接続フランジが２つのタワーリングセグメントを接続するための力を吸収することができるように寸法設定されている。このことはとりわけ、タワーの組み立て中の力に対して、および風力発電装置の運転中の力に対して当てはまる。
【００２０】
接続フランジはさらに、好ましくは開口部を有し、これら開口部は、固定手段を受け入れるように構成されている。開口部は、この目的のための開口部の貫通方向に対して直交して好ましくは円形の断面を有する。さらに好ましくはこの断面は、スリット状または多角形である。さらにこれら開口部は貫通方向を有することができ、この貫通方向は、接続フランジの扁平な伸長部の面垂線に対して実質的に平行であり、したがってアンカロッドの縦方向広がりに対しても実質的に平行である。
【００２１】
接続フランジは、アンカロッドの第１の端部と好ましくは脱着不能に、或いは好ましくは脱着可能に接続されている。脱着不能な接続は、例えば溶接接合によって形成することができる。さらに接続は、アンカロッドおよび接続フランジの製造プロセス時にすでに形成しておくことができる。このことは例えば、２つの構成要素が鋳造品であるか、および／または個別の部材材料から作製されていることにより行われる。脱着可能な接続は、好ましくはネジまたはボルト接続によって行われる。さらに接続は、溝−ばね接続、圧縮ばね、蟻継ぎ式接続および／または連結金具によって行うことができる。さらに例えばアンカロッドの第１の端部にあて板部材（ないし継ぎ板部材 Anschlag）を介して形成することのできる形状結合的な接続も可能である。
【００２２】
さらにアンカロッドを接続フランジと接続するために、第３の構成部材を使用することもできる。この第３の構成部材は、アンカロッドと接続フランジを脱着可能または脱着不能な接続によって互いに接続する。接続フランジとアンカロッドとの接続は、とりわけこれらが、２つのタワーリングセグメントを接続するための力を吸収できるように寸法設定される。このことは、タワーの組み立て中の力に対しても、風力発電装置の運転中の力に対しても当てはまる。
【００２３】
本発明によれば接続体は２つ、３つ、またはそれ以上のアンカ要素を有し、これらアンカ要素は、アンカロッドの第２の端部に隣接する部分に配置されており、したがってアンカ要素は好ましくは、タワーリングセグメントに装入されるアンカロッドの部分に存在する。アンカ要素は、とりわけアンカロッドをタワーリングセグメントに固定するために用いられる。したがってアンカロッドは、とりわけ長手方向に、アンカロッドの第１の端部に掛かる大きな引張力を吸収することができ、その結果、引張力が掛けられても長手方向に格別の運動を実施しない。アンカ要素は好ましくは、風力発電装置−タワーの長手軸に対して実質的に平行であり、さらに好ましくはアンカロッドの長手軸に対して直交するように配向されている。
【００２４】
アンカロッドをタワーリングセグメントにアンカ要素によって確実に固定することを保証するためには、アンカ要素をアンカロッドに相応に固定することが必要である。好ましくはアンカ要素は、アンカロッドに作用する引張力、とりわけ第１の端部で作用する引張力がアンカ要素へ、そしてこれを介してタワーリングセグメントへ導入されるようにアンカロッドに固定されている。したがってアンカ要素は、好ましくは脱着不能かつ剛性に、それぞれアンカロッドと例えば溶接接合によって結合されている。  
【００２５】
接続体の材料は、好ましくはとりわけ、引張力を吸収するのと、コンクリートを含む本体に装入するのに適する。好ましくは接続体または接続体の個々の構成部分は、金属材料、好ましくは鋼、とりわけステンレス鋼、および／または非鉄金属を含み、またはそれらの材料の１つないしそれらの材料の組み合わせから作製されている。その代わりに好ましくは、接続体または接続体の個々の構成部分は１つまたは複数のプラスチックを含み、あるいは１つまたは複数のプラスチックから作製されている。さらに好ましくは、アンカロッドおよび／または接続フランジおよび／またはアンカ要素は、異なる材料を含み、または異なる材料から作製されている。
【００２６】
本発明の接続体の適用分野は、タワーリングセグメントの接続を超えることができる。さらに接続体は、垂直方向に互いに隣接して配置されていて１つの水平の突合せ部を形成する２つの風力発電装置−タワー部分を互いに接続するために使用することができる。この目的のために、接続体は風力発電装置−タワー部分内に、タワーの長手伸長部に対して実質的に平行に配置されており、したがって接続体は、タワーの伸長方向に対して実質的に平行に延在する力方向に接続されるようになる。この適用事例に対しては、ここに記載する他の実施形態も相応に当てはまるが、９０°回転した取り付け位置を基準にする相応の適合が、とりわけ水平、垂直、下方および／または上方の位置合わせ等を基準にする実施形態に関して行われる。
【００２７】
接続体の好ましい一変形実施形態では、アンカ要素はアンカロッドの長手軸から実質的に直交して離れるように伸長する。かくてアンカ要素は、９０度の角度でアンカロッドの長手軸から離れるように伸長する。好ましくはそれぞれ２つのアンカ要素は、アンカロッドの同じ個所で長手方向に、平行に延在する２つの反対の方向でアンカロッドから離れるように伸長する。或いは好ましくは、それぞれ２つのアンカ要素は、アンカロッドの長手方向にずらされて、平行に延在する２つの反対の方向でアンカロッドから離れるように伸長する。かくてアンカ要素の伸長方向は常に平行とすることができる。或いは好ましくは、伸長方向は平行ではなく、好ましくは互いに直角に延在する。アンカロッドの長手軸に対して直交してアンカ要素を配置することがとりわけ有利である。なぜならそれにより、接続体とタワーリングセグメントの接続が特に強固に補強されるからである。
【００２８】
接続体のさらなる好ましい一変形形態では、アンカ要素はスタッドボルト（Kopfbolzen）として構成されている。ヘッドスタッドボルト（Kopfbolzenduebel）とも称されるスタッドボルトは、通常、長手軸に対して直交する、好ましくは円形の断面を有するピンを備えるエレメントであり、円形の断面はその長手伸長部の一方の端部にこの断面の肉厚部を有する。その長手伸長部の他方の端部によってスタッドボルトは、好ましくはアンカロッドに固定されており、この固定は好ましくは脱着不能に、またはその代わりに好ましくは脱着可能に構成されている。溶接技術的接合が特に好ましく、ここではとりわけ光アークボルト溶接が使用される。スタッドボルトは、好ましくは金属材料、とりわけ鋼から、特に好ましくはステンレス材料から作製されている。さらに好ましくはスタッドボルトは、プラスチックから作製されている。
【００２９】
好ましい一変形実施形態では、アンカロッドの上側およびアンカロッドの下側にそれぞれ同数のアンカ要素が、好ましくは対向して配置されている。アンカロッドの上側は、風力発電装置−タワーの長手軸に対して実質的に平行に延在する面垂線を有し、この面は、風力発電装置に取り付けた状態では風力発電装置のナセルに向いている。アンカロッドの下側は、風力発電装置−タワーの長手軸に対して実質的に平行に延在する面垂線を有し、この面は、風力発電装置に取り付けた状態では風力発電装置の基礎部に向いている。好ましくは、それぞれ２つのアンカ要素が設けられており、これらのうちの１つが上側に、１つが下側に配置されており、これらは同じ長手軸を有し、したがってこれらは対向して配置されている。
【００３０】
特に好ましい一変形実施形態では、接続フランジは２つの開口部を有し、これらの開口部は、それぞれ固定手段によって貫通されるように構成されている。開口部は好ましくは、アンカロッドの長手伸長部に対して実質的に平行に延在する貫通方向を有する。開口部はさらに、好ましくは貫通方向に対して直交する断面を有し、この断面は好ましくは丸く、とりわけ円形である。或いは好ましくは断面は、スリット状または矩形に構成されている。設けられた固定手段は、これらの開口部を貫通することができる。
【００３１】
開口部は好ましくは貫通開口部として構成されており、したがってこれらの開口部は、入口領域とこの入口領域とは異なる出口領域を有する。さらに好ましくは、開口部は遊底開口部として、好ましくは有底孔部として構成されている。特に好ましくは、これらの開口部を通って案内される固定手段に、取り付け状態および運転状態では操作者が、例えば保守目的で到達することができるように２つの開口部が配置されている。とりわけ固定手段は、固定機器等によって達成することができる。
【００３２】
ここに記載する接続体の幾何形状（立体形状）は、本願の枠内で、形状がタワーリングセグメントないしタワー部分のリング形状に適合された構成も含み、接続体のアンカロッドは対応してタワーリングセグメントないしタワー部分の周方向に配向されている。しかし接続体の寸法に比較して部分リングセグメントないしタワー部分の半径は、通常、格段に大きいので、この実施形態もここに記載する幾何形状に含まれる。直交のような記述および他の幾何学的記述は、タワーリングセグメントないしタワー部分のリング形状に構成が適合されている場合、相応に適合して理解される。
【００３３】
さらなる好ましい一変形形態では、接続フランジの開口部はそれぞれ１つの内ネジを有する。内ネジは、とりわけ接続フランジの開口部の内周面に、または内周面内に取り付けられている。内ネジは、とりわけ固定手段を受け入れるために用いられ、この固定手段は、好ましくは外周面を備える円形の断面を有する。とりわけこの外周面は、内ネジに対応（螺合）する外ネジを有する。内ネジは、好ましくは開口部の入口領域から出口領域にまで完全に伸長する。したがって対応の外ネジを有する固定手段は、部分的にまたは完全に開口部を通って、および／またはこれに入り込んでねじ留めすることができる。
【００３４】
さらなる好ましい一変形実施形態では、アンカロッドはその長手軸に対して直交して円形または矩形の断面を有する。円形の断面は、中心軸、好ましくはアンカロッドの長手軸を中心に好ましくは一定の半径を有することができる。さらに半径はこの中心軸を中心に変化することもでき、したがって例えば楕円形の断面が発生する。矩形の断面は、好ましくは４つの同じ角を有し、これらの角度はアンカロッド断面のそれぞれ２つの辺により形成される。アンカロッド断面の４つの辺のうちのそれぞれ対向する辺は、好ましくは同じ寸法を有する。
【００３５】
さらなる好ましい一変形形態では、接続フランジおよび／またはアンカ要素はアンカロッドと、好ましくは溶接により材料的（stoffschluessig）に結合されている。材料的な結合は、接合相手方が原子および／または分子レベルの力によって保持されるようにこの接合相手方を接続する。材料的な結合は、例えばろう付け、接着、加硫および／または溶接によって形成することができる。溶接および溶接の亜種、とりわけ溶融溶接およびプレス溶接は、多くの金属材料を接合するのに特に適する。
【００３６】
さらなる好ましい一変形形態では、接続フランジおよび／またはアンカ要素および／またはアンカロッドは鋼を有するか、または鋼から作製されている。さらに特に好ましくは、接続フランジおよび／またはアンカ要素および／またはアンカロッドは、鋳造材ないし鋳造材料を含むか、またはこれから作製されている。さらに接続フランジおよび／またはアンカ要素および／またはアンカロッドは非鉄（ＮＥ）金属、例えば特殊合金、から作製されているか、またはそれを含む。さらに好ましくは接続フランジおよび／またはアンカ要素および／またはアンカロッドはプラスチックから作製されているか、またはそれを含み、とりわけ抗張力の大きいプラスチック、例えば繊維強化プラスチック、が好ましい。さらに接続フランジおよび／またはアンカ要素および／またはアンカロッドは、コンクリート、とりわけ高強度コンクリート、から作製されているか、またはそれを含む。
【００３７】
本発明のさらなる視点によれば、冒頭に述べた課題は風力発電装置−タワーリングセグメントによって解決され、このタワーリングセグメントは外套セグメントとして、好ましくはコンクリート体として、構成されており、少なくとも１つのさらなるタワーリングセグメントの突合せ箇所に宛がうための２つの突合せ箇所と、各突合せ箇所の領域にある少なくとも１つの切欠部とを有し、タワーリングセグメントには各突合せ箇所の領域においてそれぞれ１つの接続体、とりわけ前記変形実施形態の少なくとも１つによる接続体が装入されており、これによりアンカロッドの第２の端部がアンカ要素と共にタワーリングセグメント内に隠され、かつアンカロッドの第１の端部が接続フランジと共に切欠部に突出している。
【００３８】
好ましくはコンクリート体として構成された風力発電装置−タワーリングセグメントは、とりわけ補強されたコンクリート体、とりわけ鉄筋コンクリート体および／またはプレストレストコンクリート体である。さらに好ましくは、風力発電装置−タワーリングセグメントは、とりわけ工業的にあらかじめ製造されたプレキャストコンクリートとして存在する。
【００３９】
タワーリングセグメントは、実質的に垂直の少なくとも２つの突合せ箇所で、さらなるタワーリングセグメントに突き合う。ここで少なくとも２つの垂直の突合せ部は、好ましくはタワー部分の高さと実質的に同じ垂直の寸法を有する。突合せ箇所には少なくとも１つの切欠部が存在しており、この切欠部は好ましくは、一方では第１のタワーリングセグメントに、他方では第２のタワーリングセグメントに配置されている。この切欠部には、２つの異なる、好ましくは隣接する、タワーリングセグメントにそれぞれ装入（埋設）された、好ましくは本発明の接続体の２つの第１の端部が突き出ている。第１の端部に配置された接続フランジは、接続フランジが固定手段によって互いに接続されることにより、タワーリングセグメントを互いに接続するために用いられる。
【００４０】
本発明のさらなる視点によれば冒頭に述べた課題は、少なくとも１つの第１と第２の風力発電装置−タワーリングセグメント、とりわけ前記視点による２つのタワーリングセグメントを含む風力発電装置−タワー部分によって解決され、２つのタワーリングセグメントはそれぞれ外套セグメントとして、好ましくはコンクリート体として、構成されており、それらの突合せ箇所が少なくとも１つの実質的に垂直の突合せ部において互いに突き合っており、第１と第２のタワーリングセグメントには、各突合せ箇所の領域においてそれぞれ１つの接続体、とりわけ前記変形実施形態の少なくとも１つによる接続体が装入されており、これによりアンカロッドの第２の端部がアンカ要素と共にタワーリングセグメント内に隠され、かつアンカロッドの第１の端部が接続フランジと共に切欠部に突出し、前記突合せ部の領域では、第１と第２のタワーリングセグメントの接続体の接続フランジが互いに接続されている。
【００４１】
タワー部分は、好ましくは完全に円形に構成され、タワーリングの半径に対して直交する高さを有するタワーリングとして構成されている。タワーリングは好ましくは実質的に壁によって形成され、外周面と内周面が形成される。タワー部分は、少なくとも第１と第２のタワーリングセグメントをさらに含み、これらのタワーリングセグメントは、全部で２つのタワーリングセグメントの場合、それぞれ例えば１８０度の角度広がりを有する。さらにタワー部分は２を超えるタワーリングセグメントも含むことができ、これらのタワーリングセグメントは、好ましくは合計で３６０度の角度広がりを有する。タワー部分をタワーリングセグメントに分割することは、輸送が簡単であるという利点を提供する。なぜなら特定の直径を有するタワー部分は、通常の輸送車で従来のように搬送することがもはやできないからである。
【００４２】
タワーリングセグメントは、好ましくはそれぞれ外套セグメントとして、好ましくはコンクリート体として構成されている。好ましくはコンクリート体は、さらに好ましくは補強コンクリート体として、とりわけ鉄筋コンクリート体および／またはプレストレストコンクリート体として構成されている。さらに好ましいコンクリート体は、好ましくはプレキャストコンクリートとして設けることができ、したがってこれは工業的にあらかじめ製造することができる。
【００４３】
タワーリングセグメントの突合せ箇所は、実質的に垂直の少なくとも１つの突合せ部において互いに突き合っている。ここで少なくとも１つの垂直の突合せ部は、好ましくはタワー部分の高さと実質的に同じ垂直の寸法を有する。例えばそれぞれ１８０度の角度広がりを有するタワーリングセグメントが２つある場合、タワー部分は実質的に垂直の突合せ部を全部で２つ含む。したがって１タワー部分当たりの突合せ部の数は、１タワー部分当たりのタワーリングセグメントの数が増えると増大する。
【００４４】
突合せ部の領域には切欠部が配置されている。切欠部は好ましくは一方の半分が、突合せ部で隣接する第１のタワーリングセグメント内に配置され、他方の半分は突合せ部で隣接する第２のタワーリングセグメント内に配置されている。切欠部は好ましくは、接続体に適合された幾何形状、例えば正方形の形状を有し、切欠部の寸法は、好ましくは接続フランジが、取り付け状態で切欠部の外縁と接触しない大きさである。このことは特に有利である。なぜならこれにより接続部が実質的に引張負荷を受け、上記の知識を考慮して保守の少ない接続が可能になるからである。
【００４５】
風力発電装置−タワー部分の接続体は、好ましくは本発明の前記視点の１つにしたがって構成されている。さらなる一変形形態では、突合せ部に１つを超える切欠部が設けられている。このことは、タワー部分が１つ超の切欠部を設けることを可能にする高さを有する場合に特に有利である。個々の突合せ部にある切欠部は、好ましくは垂直に上下に重ねて配置されており、好ましくはそれぞれ垂直方向の間隔を有する。
【００４６】
本発明によれば第１と第２のタワーリングセグメントの第１の端部は切欠部に突入しており、これにより第１の端部に配置された接続フランジを互いに接続することができる。
【００４７】
風力発電装置−タワー部分の好ましい一変形形態では、第１と第２のタワーリングセグメントの接続体の接続フランジは、固定手段を介して、好ましくは脱着可能に、互いに接続されている、あるいは接続される。接続フランジは好ましくはそれぞれ開口部、とりわけそれぞれ２つの開口部、を有し、これらの開口部を通って固定手段が貫通することができる。接続フランジのそれぞれの開口部は、好ましくは別の接続フランジの開口部と同じ中央軸を有し、したがってこれら２つの開口部は、好ましくは実質的に同心に配置されている。２つの同心に配置された開口部を通して固定手段が好ましくは導入される。脱着可能な固定手段が特に好ましく、固定手段はとりわけねじ留め可能な固定手段として構成されている。
【００４８】
本発明のさらなる一視点によれば冒頭に述べた課題は、前記視点の少なくとも１つによる、規定どおりに上下に配置された複数の風力発電装置−タワー部分を含む風力発電装置−タワーによって解決され、好ましくは隣接するタワー部分の突合せ部は互いにずらして宛がわれている。「ずらして」とは、上下に重ねて配置された２つのタワー部分の突合せ部の継ぎ目が垂直に重なって配置されていないことを意味する。互いにずらして配置された突合せ部はタワーの剛性を高めることができる。
【００４９】
本発明のさらなる一視点によれば冒頭に述べた課題は、前記視点による風力発電装置−タワーを含む風力発電装置によって解決される。この風力発電装置は、通常、タワーの他に、タワー上に配置されたナセルを含み、ナセルは通常は３つのロータブレードを備える空気力学的ロータと、好ましくは１つのスピナを有する。空気力学的ロータは、通常、風力発電装置の運転時に風によって回転運動され、これにより通常は発電機のロータまたは回転子も回転させ、発電機は通常、空気力学的ロータと直接または間接的に結合することができる。電気発電機は通常、電気エネルギーを生成するためにナセル内に配置されている。
【００５０】
本発明のさらなる一視点によれば冒頭に述べた課題は、タワーリングセグメント、とりわけ前記視点の少なくとも１つによるタワーリングセグメントの製造方法によって解決される。この方法は、タワーリングセグメントを製造するためのコンクリート型枠または型枠を準備する工程、接続体、とりわけ前記変形実施形態の少なくとも１つによる接続体をコンクリート型枠または型枠内に、接続体のアンカロッドの第１の端部が接続フランジと共に突合せ箇所の領域に配置された切欠部から突き出るように位置決めする工程、コンクリート型枠または型枠にコンクリートを流し込む工程、コンクリートを硬化させる工程、およびコンクリート型枠または型枠からタワーリングセグメントを取り外す工程、を含む。
【００５１】
とりわけ好ましくは補強された（強化）コンクリートが使用され、好ましくは補強部材は、コンクリート型枠または型枠にコンクリートが注ぎ込まれる前に、および／または打ち込まれる前に位置決めされる。場合によっては複数のタワーセグメントを同時に製作し、これらのタワーセグメントは、その硬化および取り外し後に互いに分離することができる。ここでタワーリングセグメントは、好ましくは、コンクリート型枠または型枠に、これらが規定どおりに風力発電装置−タワー部分および／または風力発電装置−タワーに配置されるように互いに配置される。
【００５２】
本発明のさらなる一視点によれば冒頭に述べた課題は、２つのタワーリングセグメントを１つの風力発電装置−タワー部分に、とりわけ前記視点の少なくとも１つによる風力発電装置−タワー部分に接続するための方法によって解決される。この方法は、少なくとも１つの第１と第２の風力発電装置−タワーリングセグメント、とりわけ前記視点の少なくとも１つによる第１と第２の風力発電装置−タワーリングセグメントを提供する工程と、第１と第２の風力発電装置−タワーリングセグメントの２つの接続フランジを互いに接続する工程と、を含む。２つの接続フランジを互いに接続することは、好ましくは固定手段、とりわけネジ接続によって行われる。
【００５３】
本発明のさらなる一視点によれば冒頭に述べた課題は、垂直に隣接して互いに配置され、水平の突合せ部を形成する２つの風力発電装置−タワー部分を接続する方法によって解決される。この目的のために接続体は、風力発電装置−タワー部分内にタワーの長手伸長部に対して実質的に平行に配置されており、したがって接続体の接続は、タワーの伸長方向に対して実質的に平行に延在する力方向で行われる。この適用事例に対しては、ここに記載したその他の形態も相応に当てはまる。しかし９０度回転された取り付け位置を基準にする相応の適合が、とりわけ水平、垂直、下方および／または上方の配向等を基準にする形態に関して行われる。
【００５４】
本発明のさらなる一視点によれば冒頭に述べた課題は、第１のあて板部材を含む第１の組付け要素と、第２のあて板部材を含む第２の組付け要素と、を備える前記の接続体のための組付け装置であって、前記第１のあて板部材には少なくとも２つの第１の支柱（Stempel）が互いに離間されて当該第１のあて板部材の同じ側に配置されており、前記第２のあて板部材には少なくとも２つの第２の支柱が互いに離間されて当該第２のあて板部材の同じ側に配置されており、接続された２つの接続体のアンカロッドが、直交する方向で第１と第２のあて板部材の間に締め付けられるように対向して配置され構成されている、組付け装置によって解決される。
【００５５】
この組付け装置は、とりわけ、取り付け状態において力、とりわけせん断力を吸収するために用いられ、接続部が動作状態において実質的に力を受けないようにする。しかし取り付け状態において、例えば接続されたタワーリングセグメントをずらすべき場合、または移動すべき場合、接続の高い安定性をこの方向においても保証するために、これらの力を伝達するのが有意義であり、望ましい場合もある。取り付け終了後の設置の完了した状態では、組付け装置が好ましくは再び除去され、この方向での力の伝達を低減ないし回避する。これにより接続部の保守頻度が格段に低減される。
【００５６】
さらに組付け装置は２つの組付け要素を有し、これら組付け要素は、例えばプレートとして構成することができ、好ましくは互いに対向するあて板部材（ないし継ぎ板部材）を有する。これらあて板部材は、好ましくは互いに向き合う、プレートに対して直交して配向された支柱を有し、これらの支柱は好ましくはあて板部材に対して直交して拡張可能である。これにより接続された２つの接続体のアンカロッドを、それらあて板部材の間で締め付けることができる。支柱は、例えば下でさらに説明するように、ネジスリーブ内に案内される保持要素として構成することができる。
【００５７】
好ましい一発展形態によれば、前記組付け装置は、第１のあて板部材を含む第１の組付け要素と、第２のあて板部材を含む第２の組付け要素と、を備えるように構成されており、前記第１のあて板部材にはそれぞれネジを備える少なくとも２つの第１のネジスリーブが互いに離間されて前記第１のあて板部材の同じ側に配置されており、前記第２のあて板部材にはそれぞれネジを備える少なくとも２つの下方ネジスリーブが互いに離間されて前記第２のあて板部材の同じ側に配置されており、前記第１と第２のネジスリーブにはそれぞれ１つの保持要素が配置されており、該保持要素は、前記ネジスリーブのネジに対応するそれぞれ１つのネジを有し、前記保持要素は、当該保持要素が配置された前記ネジスリーブの中央軸を基準にして軸方向の運動が実施されるように配置され構成されている。
【００５８】
これらさらなる視点のさらなる利点、変形実施例および実施の詳細並びにそれらの可能な発展形態に関しては、接続体の対応の特徴および発展形態についての前の説明も参照されたい。
【００５９】
本発明の好ましい変形実施形態を、例として、添付図面に基づき説明する。
【図面の簡単な説明】
【００６０】
【図１】一風力発電装置の概略図である。
【図２】一タワー部分の水平部分断面図である。
【図３】一接続体の長手断面図である。
【図４】２つの接続フランジの垂直断面図である。
【図５】２つの接続フランジの水平断面図である。
【図６】一接続フランジのさらなる図である。
【図７】組付け装置を備える、図４による２つの接続フランジの垂直断面図である。
【図８】図７による組付け装置の組付け要素の平面図である。
【実施例】
【００６１】
図１は、本発明の一風力発電装置の概略図である。風力発電装置１００は、一タワー１０２と、タワー１０２上の一ナセル１０４を有する。ナセル１０４には、３つのロータブレード１０８と一スピナ１１０を備える一空気力学的ロータ１０６が設けられている。空気力学的ロータ１０６は、風力発電装置の稼働時に風によって回転運動され、これにより一発電機のロータおよび回転子も回転し、発電機は空気力学的ロータ１０６と直接または間接的に結合されている。電気発電機はナセル１０４内に配置されており、電気エネルギーを生成する。タワー１０２は複数のタワー部分２００を含み、これらタワー部分は実質的に第１のタワーリングセグメント２１０と第２のタワーリングセグメント２２０から形成されている。タワーリングセグメントは、第１の突合せ部２５０および第２の突合せ部（図示せず）において互いに突き合っている。
【００６２】
図２は、一タワー部分２００の水平部分断面を示す。タワー部分２００は、第１のタワーリングセグメント２１０と第２のタワーリングセグメント２２０を含む。これらは垂直の突合せ部２５０において互いに突き合っている。第１のタワーリングセグメント２１０は第１の接続体３００を、第２のタワーリングセグメント２２０は第２の接続体３０１を有する。
【００６３】
第１の接続体３００は、第１の端部３１１から第２の端部３１２まで伸長する第１のアンカロッド３１０を含む。アンカロッド３１０は実質的に矩形の幾何形状を有し、このアンカロッドは軽い湾曲を有する。なぜならアンカロッドはタワーリングセグメント２１０の壁に対して実質的に平行に延在するからである。アンカロッドはさらにアンカ要素３１３を有し、これらアンカ要素はアンカロッド３１０に対して直交し、かつタワー部分２００の長手軸に対して平行に延在し、一領域において第２の端部３１２に隣接して配置されている。全部で１０のアンカ要素３１３がアンカロッド３１０に配置されており、それらのうちの５つは上側に、５つは下側に配置されており、アンカ要素を有する下側は図示されていない。第１の接続体３００の第２の端部３１２、およびこの端部に隣接する、アンカ要素３１３を備える領域は、第１のタワーリングセグメント２１０内に配置されている。
【００６４】
第２の接続体３０１も同様に、第１の端部３２１と第２の端部３２２を備えるアンカロッド３２０を有し、第２の端部３２２に隣接する領域には同様にアンカ要素３２３が配置されている。第２の接続体３０１も同様に、タワーリングセグメント２１０の壁に対して平行に配置されており、その第２の端部３２２およびそれに隣接する、アンカ要素３２３を備える領域は第２のタワーリングセグメント２２０内に配置されている。
【００６５】
さらにタワー部分２００は突合せ部２５０において切欠部２３０を含む。この切欠部は、一方の半部分までが第１のタワーリングセグメント２１０内に、他方の半部分までが第２のタワーリングセグメント内に取り付けられている。アンカロッドの第１の端部３１１，３２１は切欠部２３０に突入しており、互いに接続されている。
【００６６】
特に図２から分かるように、接続体３００，３０１の形状はタワーリングセグメント２００のリング形状に適合されており、したがってアンカロッド３１１，３１２（３１０，３２０）は相応してタワーリングセグメント２００の周方向に配向されている。しかし通常は接続体の寸法と比較して、部分リングセグメントないしタワー部分の半径は格段に大きいから、この実施形態もここに記載するジオメトリに含まれる。とりわけ、直交のような記述および他の幾何学的記述は、接続体３００，３０１がタワーリングセグメント２００のリング形状に適合されているこの構成では、相応に適合して理解すべきである。
【００６７】
図３は、アンカロッド４１０を備える接続体４００のさらなる変形実施形態の長手断面図である。ここではアンカロッド４１０が第１の端部４１１から第２の端部４１２まで長手伸長方向に沿って縦に伸長しており、これに対して直交する幅Ｄを有する。アンカロッド４１０の第１の端部４１１には第１の接続フランジ４３０が配置されており、この接続フランジはアンカロッド４１０の幅Ｄに対して平行方向の高さＨを有する。第１の接続フランジ４３０の高さＨの寸法は、アンカロッド４１０の幅Ｄよりも大きい。第１の接続フランジ４３０の高さＨの寸法は、固定手段４５１，４５２、ここではネジを、接続フランジ４３０に取り付けられた貫通孔４７１，４７２に導入することができるように選択されている。貫通孔４７１，４７２は、アンカロッド４１０の縦方向広がりに対して平行に延在する貫通方向を有する。
【００６８】
さらに第１の接続フランジ４３０には第２の接続フランジ４４０が配置されている。第２の接続フランジ４４０は第２の接続体の構成部分であり、第２の接続体のアンカロッド４２０に第２の接続フランジ４４０が配置されている。第２の接続フランジ４４０は、第１の接続フランジ４３０に類似して構成されている。接続フランジ４３０，４４０は、固定手段４５１が第１の接続フランジ４３０の上方貫通孔４７１と第２の接続フランジ４４０の上方貫通孔４８１を通って、かつ固定手段４５２が第１の接続フランジ４３０の下方貫通孔４７２と第２の接続フランジ４４０の下方貫通孔４８２を通って完全にないし部分的に貫通案内されるように互いに接続されている。上方貫通孔４７１，４８１は共通の通路を有する。下方貫通孔４７２，４８２も同様に共通の通路を有する。固定手段４５１，４５２は、出口側で対応のエレメント４６１，４６２によって確保され、これにより第１と第２の接続フランジ４３０，４４０の間の接続が形成される。好ましくは固定手段としてネジが、対応のエレメントとしてナットが選択される。第１の接続フランジ４３０と第２の接続フランジ４４０との接続は、好ましくは２つのタワーリングセグメントの切欠部内で行われる。補充的にまたはその代わりに、貫通孔４７１，４７２および／または貫通孔４８１，４８２は内ネジを有し、この内ネジに固定手段４５１，４５２をねじ留めすることができる。
【００６９】
第１のアンカロッド４１０の第２の端部４１２に隣接する領域内には、全部で４つの第１のアンカ要素４１３が配置されており、これらはここではスタッドボルト（Kopfbolzen）として構成されている。第１のアンカ要素４１３は、第１のアンカロッド４１０から直交して伸長し、第１のアンカロッド４１０の幅Ｄに対して平行の方向に離れるよう突き出ている。第１のアンカロッド４１０の一方の側には２つの第１のアンカ要素４１３が存在し、これらに対向して、第１のアンカロッド４１０の他方の側には２つのさらなる第１のアンカ要素４１３が存在する。
【００７０】
図４は、２つの接続フランジ４３０，４４０の垂直断面図である。２つの接続フランジは、固定手段４５１，４５２と対応のエレメント４６１，４６２によって互いに接続されており、第１の接続体４００ないし第２の接続体４０１の構成部分が図示されている。第１の接続フランジ４３０は第１のアンカロッド４１０と、第２の接続フランジ４４０は第２のアンカロッド４２０と接続されており、接続部は切欠部２３０内に配置されている。アンカロッド４１０，４２０はタワーリングセグメント２１０，２２０（図４には部分的にだけ図示されている）に装入（埋設）され、その中に固定されているから、この配置構成は、タワーリングセグメント２１０，２２０を互いに突合せ部２５０において接続するために用いられる。
【００７１】
図５は、図４の２つの接続フランジ４３０，４４０の水平断面図であり、切欠部２３０内に配置された第１と第２のアンカロッド４１０，４２０を備える。図６は、切欠部（切欠凹所）２３０内に配置された接続フランジ４４０とアンカロッド４２０のさらなる図である。
【００７２】
第１の接続体３００，４００を第２の接続体３０１，４０１と接続することにより、保守の少ないタワーリングセグメント２１０，２２０の接続が可能になる。保守の少ない接続は、従来の接続と比較して、２つの保守間の時間間隔が比較的に長い長期の保守サイクルを特徴とする。そこから一方では人件費の掛かる保守作業が稀であることによるコスト削減の利点が得られ、他方では風力発電装置の安全性が向上する。
【００７３】
したがって保守サイクルは、本発明の接続体を使用する場合、比較的に長い時間間隔を有する。なぜなら、第１のアンカロッド３１０，４１０が第２のアンカロッド３２０，４２０と接続されている接続箇所においては、アンカロッド３１０，３２０，４１０，４２０の縦方向広がりに対して実質的に平行に延在する力が作用するからである。接続箇所とは、第１のアンカロッド３１０，４１０の第１の端部３１１，４１１が第２のアンカロッド３２０の第１の端部３２１に、第１の接続フランジ４３０および第２の接続フランジ４４０並びにこれら接続フランジを接続する固定手段４５１，４５２と対応のエレメント４６１，４６２とによって接続されている箇所である。
【００７４】
アンカロッド３１０，３２０，４１０，４２０の縦方向広がりに対して実質的に平行に延在する、２つの隣接するタワーリングセグメント２１０，２２０を接続するための力は、アンカロッド３１０，３２０，４１０，４２０の第１の端部３１１，３２１，４１１と接続フランジ４３０，４４０とが、アンカロッド３１０，３２０，４１０，４２０の縦方向広がりの周囲に自由空間を提供する切欠部２３０内に配置されており、接続体を通る、あるいは接続体に掛かるせん断力および／またはせん断応力が、とりわけ接続フランジ４３０，４４０の箇所において低減され、これにより接続部、好ましくはネジ接続部がせん断力および／またはせん断応力を吸収しなくてもよいか、または非常に僅かだけ吸収すればよいことによってさらに実現される。せん断力および／またはせん断応力を吸収しなくてもよいか、または僅かだけ吸収すればよい接続部は、格段に小さな保守頻度を有することが判明した。この有利な配置構成は、とりわけ図４，５および６に示されている。かくて突合せ部２５０で互いに突き合うタワーリングセグメント２１０，２２０は、より確実に、より小さな保守頻度で接続することができる。
【００７５】
さらに切欠部２３０と、この切欠部内で行われた接続、好ましくはネジ接続は、接続部の簡単で確実な検査を可能にする。なぜならこの接続部を、保守を実施する人員がより良好に観察することができるからである。これにより一方では、接続部の検査が小さな時間的手間暇と結び付く。他方では、接続部の検査が検査員による良好な予測力と結び付く。なぜなら接続部を直接見ることができ、したがって検査は高い妥当性を有するからである。これにより風力発電装置１００の安全性がさらに向上する。このことは特に、しばしばモルタルで埋められ、したがって見ることのできないタワーリングセグメントの従来の接続に対する利点である。
【００７６】
図７は、組付け装置を備える、図４の２つの接続フランジの垂直断面図である。組付け装置５０は、第１の組付け要素５１０と第２の組付け要素５２０を含む。第１の組付け要素５１０は、プレート部材として構成された第１のあて板部材（ないし継ぎ板部材）５１１を含む。第１のあて板部材５１１は、第１の端部５１１１から第２の端部５１１２まで伸長している。第１の端部５１１１に隣接する領域には第１のネジスリーブ５１２（ここでは左に図示）が配置されており、したがって第１のネジスリーブ５１２は、第１のアンカロッド４１０に向いた第１のあて板部材５１１の端部５１１１に配置されている。この第１のネジスリーブ５１２の第１のあて板部材５１１との接続は、ここでは溶接継ぎ目によって実現されている。
【００７７】
第１のあて板部材５１１の第２の端部５１１２に隣接する領域には、別の第１のネジスリーブ５１２（ここでは右に図示）に類似する、さらなる第１のネジスリーブ５１５が配置されている。したがってこのさらなる第１のネジスリーブ５１５は、第２のアンカロッド４２０に向いた第１のあて板部材５１１の端部５１１２に配置されている。さらなる第１のネジスリーブ５１５も同様に内ネジを有する。さらに第１のネジスリーブ５１２には第１の保持要素５１３が、さらなる第１のネジスリーブ５１５にはさらなる第１の保持要素５１６が配置されている。保持要素５１３，５１６は、ネジスリーブ５１２，５１５の内ネジに対してそれぞれ対応する外ネジを有し、それぞれ部分的にネジスリーブにねじ込まれている。
【００７８】
第２の組付け要素５２０は、第１の組付け要素５１０と基本的に同じ構造を有する。第２のあて板部材５２１が第１の端部５２１１から第２の端部５２１２まで伸長し、２つの端部５２１１と５２１２に隣接する領域には２つのネジスリーブ５２２，５２５が配置されている。第２のネジスリーブ５２２，５２５も同様に内ネジを有し、第２のネジスリーブ５２２には２つの保持要素５２３，５２６がねじ込まれている。さらに保持要素５１３，５１６，５２３，５２６は、この実施例ではそれぞれ第１ないし第２の六角体５１４，５１７，５２４，５２７を有し、これらは保持要素の所属のあて板部材５１１，５２１に向いた端部に配置されており、したがってアンカロッド４１０，４２０に当接することができる。
【００７９】
第１と第２の組付け要素５１０，５２０は、少なくとも２つのタワーリングセグメントの突合せ部の領域にある切欠部内に配置される。この配置は、第１の端部から第２の端部までの伸長方向がアンカロッドの長手伸長部に対して実質的に平行に延在するように行われる。さらに第１と第２の組付け要素５１０，５２０は、１つの第１のネジスリーブ５１２の中央軸と１つの第２のネジスリーブ５２２の中央軸とが第１のアンカロッド４１０と交差するように配置される。これにより保持要素５１３，５２３は、突出長が十分であればアンカロッド４１０に当接する。保持要素を例えば六角体５１４，５２３において回転することにより、生じる軸方向運動によってアンカロッドの実質的に垂直の運動を達成することができる。
【００８０】
同じ結果は、さらなる第１の保持要素５１６とさらなる第２の保持要素５２６を、例えば六角体５１７，５２７において回転することによって達成することができる。アンカロッドの垂直の運動により、アンカロッド４３０，４４０に配置された接続フランジ４３０，４４０は、フランジに配置された上方貫通孔４７１，４８１が共通の貫通軸を有し、フランジに配置された下方貫通孔４７２，４８２も同様に共通の貫通孔を有するように配向することができる。これによってフランジと固定手段４５１，４５２および対応のエレメント４６１，４６２との接続が大きく簡素化される。
【００８１】
図８は、図７の組付け装置の組付け要素の平面図である。組付け要素５１０は、第１の端部５１１１と第２の端部５１１２との間に長手伸長部を有する。さらに組付け要素５１０は、この長手伸長部に対して直交する幅を有する。長手伸長部と幅は直交面を備える平面を形成し、この平面上には２つの第１のネジスリーブ５１２，５１５が配置されており、ネジスリーブ５１２，５１５の中央軸は直交面に対して実質的に平行に延在する。
【符号の説明】
【００８２】
１００  風力発電装置
１０２  タワー
１０４  ナセル
１０６  ロータ
１０８  ロータブレード
１１０  スピナ
２００  タワー部分
２１０  第１のタワーリングセグメント
２２０  第２のタワーリングセグメント
２３０  切欠部（切欠凹所）
２５０  突合せ部
３００，４００  第１の接続体
３０１，４０１  第２の接続体
３１０，４１０  第１のアンカロッド
３１１，４１１  第１のアンカロッドの第１の端部
３１２，４１２  第２のアンカロッドの第２の端部
３１３，４１３  第１のアンカ要素
３２０，４２０  第２のアンカロッド
３２１  第２のアンカロッドの第１の端部
３２２  第２のアンカロッドの第２の端部
３２３  第２のアンカ要素
４３０  第１の接続フランジ
４４０  第２の接続フランジ
４５１，４５２  固定手段
４６１，４６２  対応のエレメント
４７１，４８１  上方貫通孔
４７２，４８２  下方貫通孔
５０  組付け装置
５１０  第１の組付け要素
５１１  第１のあて板部材（継ぎ板部材）
５１２，５１５  第１のネジスリーブ（支柱）
５１３，５１６  第１の保持要素
５１４，５１７  第１の六角体
５２０  第２の組付け要素
５２１  第２のあて板部材（継ぎ板部材）
５２２，５２５  第２のネジスリーブ（支柱）
５２３，５２６  第２の保持要素
５２４，５２７  第２の六角体
５１１１  第１のあて板部材の第１の端部
５１１２  第１のあて板部材の第２の端部
５２１１  第２のあて板部材の第１の端部
５２１２  第２のあて板部材の第２の端部
Ｄ  アンカロッドの幅
Ｈ  接続フランジの高さ
L  長手伸長方向
【図１】
2019513920.tif 000003
【図２】
2019513920.tif 000004
【図３】
2019513920.tif 000005
【図４】
2019513920.tif 000006
【図５】
2019513920.tif 000007
【図６】
2019513920.tif 000008
【図７】
2019513920.tif 000009
【図８】
2019513920.tif 000010
【手続補正書】
【提出日】平成30年11月19日(2018.11.19)
【手続補正１】
【補正対象書類名】特許請求の範囲
【補正対象項目名】全文
【補正方法】変更
【補正の内容】
【特許請求の範囲】
【請求項１】
風力発電装置−タワーリングセグメント（２１０）に装入するための接続体、すなわち第１の接続体であって、
第１の端部（３１１，４１１）および第２の端部（３１２，４１２）を備えるアンカロッド（３１０，４１０）と、
前記アンカロッド（３１０，４１０）の第１の端部（３１１，４１１）に配置された接続フランジ（４３０）であって、前記接続体を、さらなる風力発電装置−タワーリングセグメント（２２０）に装入される第２の接続体（３０１，４０１）と接続し、それにより２つの風力発電装置−タワーリングセグメント（２１０，２２０）を接続し、少なくともそれらの接続を支援するための接続フランジと、
前記アンカロッド（３１０，４１０）の第２の端部（３１２，４１２）に隣接する部分に配置された２つ、３つまたはそれ以上のアンカ要素（３１３，４１３）と、を含む接続体。
【請求項２】
前記アンカ要素（３１３，４１３）は、前記アンカロッド（３１０，４１０）の長手軸から実質的に直交して離れるように伸長している、
および／または
前記アンカ要素（３１３，４１３）はスタッドボルトとして構成されている、ことを特徴とする請求項１に記載の接続体。
【請求項３】
前記アンカロッド（３１０，４１０）の上側および前記アンカロッド（３１０，４１０）の下側には、それぞれ同数のアンカ要素（３１３，４１３）が配置されている、ことを特徴とする請求項１または２に記載の接続体。
【請求項４】
前記接続フランジ（４３０）は２つの開口部を有し、当該開口部はそれぞれ１つの固定手段（４５１，４５２）により貫通されるように構成されており、前記接続フランジ（４３０）の開口部は、内ネジを有する、ことを特徴とする請求項１から３のいずれか一項に記載の接続体。
【請求項５】
前記アンカロッド（３１０，４１０）は、その長手軸に対して直交する、円形または矩形の断面を有する、ことを特徴とする請求項１から４のいずれか一項に記載の接続体。
【請求項６】
前記接続フランジ（４３０）および／または前記アンカ要素（３１３，４１３）は、前記アンカロッド（３１０，４１０）と材料的に結合して、接続されている、ことを特徴とする請求項１から５のいずれか一項に記載の接続体。
【請求項７】
前記接続フランジ（４３０）および／または前記アンカ要素（３１３，４１３）および／または前記アンカロッド（３１０，４１０）は鋼を有するか、または鋼から作製されている、ことを特徴とする請求項１から６のいずれか一項に記載の接続体。
【請求項８】
風力発電装置−タワーリングセグメント（２１０）であって、前記風力発電装置−タワーリングセグメント（２１０）は外套セグメントとして、構成されており、少なくとも１つのさらなる風力発電装置−タワーリングセグメント（２２０）の突合せ箇所に宛がうための２つの突合せ箇所と、各突合せ箇所の領域にある少なくとも１つの切欠部（２３０）とを有し、
前記タワーリングセグメントには各突合せ箇所の領域においてそれぞれ１つの接続体が装入されており、これによりアンカロッド（３１０，４１０）の第２の端部（３１２，４１２）がアンカ要素（３１３，４１３）と共に風力発電装置−タワーリングセグメント（２１０）内に隠され、かつ前記アンカロッド（３１０，４１０）の第１の端部（３１１，４１１）が接続フランジ（４３０）と共に切欠部（２３０）に突き出ている、風力発電装置−タワーリングセグメント。
【請求項９】
少なくとも第１と第２の風力発電装置−タワーリングセグメント（２１０，２２０）を含む風力発電装置−タワー部分（２００）であって、
前記２つの風力発電装置−タワーリングセグメント（２１０，２２０）は、それぞれ外套セグメントとして、構成されており、それらの突合せ箇所が少なくとも１つの実質的に垂直の突合せ部（２５０）において互いに突き合っており、
前記第１と第２の風力発電装置−タワーリングセグメント（２１０，２２０）には、各突合せ箇所の領域においてそれぞれ１つの接続体が装入されており、これによりアンカロッド（３１０，４１０）の第２の端部（３１２，４１２）がアンカ要素（３１３，４１３）と共に風力発電装置−タワーリングセグメント（２１０）内に隠され、かつ前記アンカロッド（３１０，４１０）の第１の端部（３１１，４１１）が接続フランジ（４３０）と共に切欠部（２３０）に突出し、
前記突合せ部（２５０）の領域では、第１と第２の風力発電装置−タワーリングセグメント（２１０，２２０）の接続体（３００，３０１，４００，４０１）の前記接続フランジ（４３０，４４０）が互いに接続されている、風力発電装置−タワー部分。
【請求項１０】
第１と第２の風力発電装置−タワーリングセグメント（２１０，２２０）の接続体（３００，３０１，４００，４０１）の前記接続フランジ（４３０，４４０）は、固定手段（４５１，４５２）を介して、互いに結合されている、請求項９に記載の風力発電装置−タワー部分。
【請求項１１】
規定どおりに上下に重ねて配置された複数の、請求項９または１０による風力発電装置−タワー部分（２００）を含む風力発電装置−タワー（１０２）であって、隣接する風力発電装置−タワー部分（２００）の突合せ部（２５０）は、互いにずらして宛がわれている、風力発電装置−タワー。
【請求項１２】
請求項１１による風力発電装置−タワー（１０２）を含む風力発電装置。
【請求項１３】
風力発電装置−タワーリングセグメントの製造方法であって、
・風力発電装置−タワーリングセグメント（２１０）を製造するためのコンクリート型枠または型枠を準備する工程、
・接続体をコンクリート型枠または型枠内に、前記接続体のアンカロッド（３１０，４１０）の第１の端部（３１１，４１１）が接続フランジ（４３０）と共に突合せ箇所の領域に配置された切欠部（２３０）から突き出るように位置決めする工程、
・前記コンクリート型枠または型枠にコンクリートを流し込む工程、
・コンクリートを硬化させる工程、
・前記コンクリート型枠または型枠から風力発電装置−タワーリングセグメント（２１０）を取り外す工程、
を含む製造方法。
【請求項１４】
２つの風力発電装置−タワーリングセグメント（２１０，２２０）を１つの風力発電装置−タワー部分（２００）に接続する方法であって、
・少なくとも１つの第１と第２の風力発電装置−タワーリングセグメント、を提供する工程、
・第１と第２の風力発電装置−タワーリングセグメント（２１０，２２０）の２つの接続フランジ（４３０，４４０）を互いに接続する工程、
を含む接続方法。
【請求項１５】
請求項１から７のいずれか一項による接続体のための組付け装置（５０）であって、
・第１のあて板部材（５１１）を含む第１の組付け要素（５１０）と、第２のあて板部材（５２１）を含む第２の組付け要素（５２０）と、を有し、
・前記第１のあて板部材には、少なくとも２つの第１の支柱（５１２，５１５）が互いに離間されて当該第１のあて板部材の同じ側に配置されており、
・前記第２のあて板部材には、少なくとも２つの第２の支柱（５２２，５２５）が互いに離間されて当該第２のあて板部材の同じ側に配置されており、
前記第１と第２の支柱は、接続された２つの接続体のアンカロッドが、直交する方向で第１と第２のあて板部材の間に締め付けられるように対向して配置され構成されている、組付け装置。
【手続補正２】
【補正対象書類名】明細書
【補正対象項目名】全文
【補正方法】変更
【補正の内容】
【発明の詳細な説明】
【技術分野】
【０００１】
本発明は、接続体、風力発電装置−タワーリングセグメント、風力発電装置−タワー部分、風力発電装置−タワーおよび風力発電装置、並びに風力発電装置−タワーリングセグメントの製造方法および２つの発電装置−タワーリングセグメントの接続方法に関する。さらに本発明は、２つの風力発電装置−タワー部分の接続方法および接続体のための組付け装置に関する。
【背景技術】
【０００２】
風力発電装置は実質的に、少なくとも１つのロータブレードを有するロータを含み、前記ロータブレードは空気流によって回転運動され、これにより回転子を介して発電機を駆動する。ここで発電機は、一般的にナセルの内部に配置されている。ナセルは、好ましくはタワーの上に配置されており、タワーは、鉄筋コンクリートおよび／またはプレストレストコンクリートを含むか、またはそれらから作製されたコンクリートタワーとして、または鉄鋼タワーとして構成されている。コンクリートタワーは、とりわけ大部分がコンクリートから作製されたタワーであるが、一部は別の材料、好ましくは鋼から作製するか、またはこの材料を含むことができる。この種のタワーは好ましくはパイプ状の幾何形状を有し、タワーの直径は、その縦伸長方向に沿ってナセルに向かって減少する。風力発電装置−タワーの直径は、時として８メートルを上回ることがある。
【０００３】
タワーは通常、複数の風力発電装置−タワー部分を含み、これらタワー部分は、既定の高さを備えるリング状の幾何形状を有する。さらにリング状に構成された壁は厚さを有する。風力発電装置−タワー部分は、好ましくはタワーの縦伸長方向に沿って、端面が実質的に完全に互いに当接するように互いに配置されている。
【０００４】
風力発電装置−タワー部分は、しばしば複数の風力発電装置−タワーリングセグメントを含む。これは、とりわけ風力発電装置の設置場所への風力発電装置−タワー部分の輸送、とりわけ搬入を、大きさの小さい構成部分によって簡単にするためである。とりわけこのことは、タワーの下方領域に配置されている風力発電装置−タワー部分に当てはまる。風力発電装置−タワー部分は、例えばそれぞれが風力発電装置−タワー部分の１８０度（180 Bogengrad）セグメントを形成する２つのタワーリングセグメントから組み立てることができる。このタワーリングセグメントは、好ましくはプレキャストコンクリートとして工業的にあらかじめ製造され、風力発電装置の設置場所でタワーの建造時に組み立てられ、互いに接続される。
【０００５】
タワーリングセグメントは、これらがリング状の風力発電装置−タワー部分を形成するように組み立てられる。２つのセグメントを使用する場合、組み立てによって実質的に垂直に延在する２つの分離継ぎ目が発生する。分離継ぎ目は、タワーリングセグメントのそれぞれ２つの突合せ箇所が互いに突き合う箇所に発生する。これらの突合せ箇所では、公知のタワーリングセグメントの場合、通常は補強部および／または接続要素の一部分が部分的に突き出ており、これによりタワーリングセグメントをここで互いに接続することができる。接続は好ましくはボルト（Riegel）によって行われる。このボルトは、第１の突合せ箇所から突き出たタワーリングセグメントの補強部を、第２の突合せ箇所から突き出たさらなるタワーリングセグメントの補強部と接続する。残った垂直の継ぎ目は、一般的に引き続きモルタルで埋められる。
【０００６】
用語「風力発電装置−タワーリングセグメント」と「タワーリングセグメント」は、明示的に格別に説明しない場合、同義語として使用される。このことは、風力発電装置−タワー部分とタワー部分、並びに風力発電装置−タワーとタワーに対しても同様に当てはまる。
【先行技術文献】
【特許文献】
【０００７】
【特許文献１】DE 10 2010 005 991 A1
【特許文献２】DE 20 2006 017 510 U1
【発明の概要】
【発明が解決しようとする課題】
【０００８】
ここで不利なのは、このことは、部分リングセグメントの製造においても、部分リングセグメントの接続においても、大きな労力と手間暇に結び付いていることである。さらにこの形式の接続は、この領域における補強部分ないし接続部分に腐食の危険性をもたらし、この腐食は接続を念入りに実施しても発生することがある。さらに部分リングセグメントの達成可能な位置決め精度が互いに制限されており、通常は約±１０ｍｍの範囲である。さらに例えばモルタル処理は、低温の場合に問題となり得る。
【０００９】
全体として接続部、とりわけネジ接続部は、この種の突合せ部、ないしここに発生する継ぎ目に対して通常は高い要求を課せられ、そのため通常は短い保守間隔を必要とするが、これは実施には人手が掛かるため高いコストを伴う。
【００１０】
ドイツ特許商標庁は、本願の優先権の基礎となる出願において以下の従来技術を調査した。DE 10 2010 005 991 A1 および DE 20 2006 017 510 U1。
【００１１】
したがって本発明の基礎とする課題は、前記欠点の１つまたは複数を回避または除去する接続体、風力発電装置−タワーリングセグメント、風力発電装置−タワー部分、風力発電装置−タワーおよび風力発電装置、並びに風力発電装置−タワーリングセグメントの製造方法および２つのタワーリングセグメントの接続方法を提供することである。とりわけ本発明の課題は、風力発電装置−タワー用のタワーリングセグメントの接続部の保守頻度（Wartungsintensitaet）を低減する風力発電装置−タワーリングセグメント、風力発電装置−タワー部分、風力発電装置−タワーおよび風力発電装置、並びに風力発電装置−タワーリングセグメントの製造方法および２つのタワーリングセグメントの接続方法を提供することである。さらに本発明の課題は、２つの風力発電装置−タワー部分の改善された接続方法および接続体のための改善された組付け装置を提供することである。
【課題を解決するための手段】
【００１２】
この課題は本発明の第１の視点によれば、接続体、すなわち風力発電装置−タワーリングセグメントに装入するための接続体によって解決される。この接続体は、第１および第２の端部を備えるアンカロッドと、このアンカロッドの第１の端部に配置された接続フランジであって、前記接続体をさらなる風力発電装置−タワーリングセグメントに装入される第２の接続体と接続し、これにより２つの風力発電装置−タワーリングセグメントを接続し、少なくともそれらの接続を支援するための接続フランジと、アンカロッドの第２の端部に隣接する部分に配置された２つ、３つまたはそれ以上のアンカ要素と、を含む。
本発明の第２の視点によれば、
風力発電装置−タワーリングセグメントが提供される。前記風力発電装置−タワーリングセグメントは外套セグメントとして、構成されており、少なくとも１つのさらなる風力発電装置−タワーリングセグメントの突合せ箇所に宛がうための２つの突合せ箇所と、各突合せ箇所の領域にある少なくとも１つの切欠部とを有し、
前記タワーリングセグメントには各突合せ箇所の領域においてそれぞれ１つの接続体が装入されており、これによりアンカロッドの第２の端部がアンカ要素と共に風力発電装置−タワーリングセグメント内に隠され、かつ前記アンカロッドの第１の端部が接続フランジと共に切欠部に突き出ている。
第３の視点において、
少なくとも第１と第２の風力発電装置−タワーリングセグメント、を含む風力発電装置−タワー部分が提供される。
前記２つの風力発電装置−タワーリングセグメントは、それぞれ外套セグメントとして、構成されており、それらの突合せ箇所が少なくとも１つの実質的に垂直の突合せ部において互いに突き合っており、
前記第１と第２の風力発電装置−タワーリングセグメントには、各突合せ箇所の領域においてそれぞれ１つの接続体が装入されており、これによりアンカロッドの第２の端部がアンカ要素と共に風力発電装置−タワーリングセグメント内に隠され、かつ前記アンカロッドの第１の端部が接続フランジと共に切欠部に突出し、
前記突合せ部の領域では、第１と第２の風力発電装置−タワーリングセグメントの接続体の前記接続フランジが互いに接続されている。
第４の視点において、規定どおりに上下に重ねて配置された複数の、上記の風力発電装置−タワー部分を含む風力発電装置−タワーが提供される。
第５の視点において、上記の風力発電装置−タワーを含む風力発電装置が提供される。
第６の視点において、風力発電装置−タワーリングセグメント、の製造方法が提供される。この製造方法は、
・風力発電装置−タワーリングセグメントを製造するためのコンクリート型枠または型枠を準備する工程、
・接続体をコンクリート型枠または型枠内に、前記接続体のアンカロッドの第１の端部が接続フランジと共に突合せ箇所の領域に配置された切欠部から突き出るように位置決めする工程、
・前記コンクリート型枠または型枠にコンクリートを流し込む工程、
・コンクリートを硬化させる工程、
・前記コンクリート型枠または型枠から風力発電装置−タワーリングセグメントを取り外す工程、
を含む。
第７の視点において、２つの風力発電装置−タワーリングセグメントを１つの風力発電装置−タワー部分に接続する方法が提供される。この接続方法は、
・少なくとも１つの第１と第２の風力発電装置−タワーリングセグメント、を提供する工程、
・第１と第２の風力発電装置−タワーリングセグメントの２つの接続フランジを互いに接続する工程、
を含む。
第８の視点において、上記接続体のための組付け装置が提供される。組付け装置は、
・第１のあて板部材を含む第１の組付け要素と、第２のあて板部材を含む第２の組付け要素と、を有し、
・前記第１のあて板部材には、少なくとも２つの第１の支柱が互いに離間されて当該第１のあて板部材の同じ側に配置されており、
・前記第２のあて板部材には、少なくとも２つの第２の支柱が互いに離間されて当該第２のあて板部材の同じ側に配置されており、
前記第１と第２の支柱は、接続された２つの接続体のアンカロッドが、直交する方向で第１と第２のあて板部材の間に締め付けられるように対向して配置され構成されている。
なお、特許請求の範囲に付記した図面参照符号は専ら発明の理解を助けるためのものであり、本発明を図示の態様に限定することは意図していない。
【発明を実施するための形態】
【００１３】
接続体は、風力発電装置−タワーリングセグメントに装入するために構成されている。風力発電装置−タワーは、通常、規定どおりに上下に重ねて配置された複数の風力発電装置−タワー部分を含み、これら風力発電装置−タワー部分はとりわけ外套セグメント（複数）として構成されており、リング状の幾何形状を有する。風力発電装置−タワー部分の直径が時として大きいことがあるため、これら風力発電装置−タワー部分はしばしば風力発電装置−タワーリングセグメントを含む。この風力発電装置−タワーリングセグメント（複数）は、個々の風力発電装置−タワー部分のリング部分である。風力発電装置−タワー部分は、２つ以上の風力発電装置−タワーリングセグメントを含むことができ、とりわけ２つのタワーリングセグメントを個別の１つのタワー部分に使用することが特に好ましい。したがってタワーリングセグメントは、タワー部分の例えばそれぞれ１８０度セグメントである。しかし風力発電装置−タワー部分は３つ以上のタワーリングセグメントを含むこともできる。タワーリングセグメントは、好ましくはコンクリート、とりわけ鉄筋コンクリートおよび／またはプレストレストコンクリートから作製されるか、またはそれらを含む。タワーリングセグメントは好ましくは、風力発電装置−タワーがこれに課せられる剛性要求を満たすように互いに接続される。
【００１４】
本発明の基礎とする課題は、タワーリングセグメントと関連して、力関係（Kraftverhaeltnisse）が所要の保守頻度に格別の影響を及ぼすようにすることである。とりわけ保守頻度が小さいことは、接続部、とりわけネジ接続部を非常に稀にだけ、すなわち非常に多くの運転時間の後に検査すればよいことを特徴とする。とりわけネジ接続部は、保守頻度が小さい場合、非常に多くの運転時間の後にだけ締め直せばよい。力が実質的にまたは専ら接続要素の軸方向に経過し、接続要素が十分に引張負荷を受け、とりわけせん断負荷および／せん断応力負荷を低減できるように接続部が設計されている場合、保守頻度は格段に小さい。このことはとりわけ、ネジ接続部に対して当てはまり、ネジは大部分が、または専ら軸方向の引張負荷を受ける。
【００１５】
接続体をタワーリングセグメントに装入することにより、とりわけ接続体の一部分が、実質的にタワーリングセグメント内に、とりわけタワーリングセグメントを形成する壁の中に配置されるようになる。かくてタワーリングセグメントは接続体の一部分を取り囲み、したがって接続体は実質的にタワーリングセグメント内に堅固に固定される。接続体は、好ましくはすでにタワーリングセグメントの製造プロセス中にタワーリングセグメントに装入（埋設）される。
【００１６】
接続体のアンカロッドは第１の端部と第２の端部を有し、これらの端部の間でアンカロッドは縦方向に伸長する。アンカロッドの断面はアンカロッドの実質的な縦軸に対して直交しており、好ましくは矩形であり、長手伸長部に対して実質的に直交するように配向された横方向広がりと、長手伸長部に対して実質的に直交し、かつ前記横方向広がりに対して直交する幅を有する。この幅は、横方向広がりよりも格段に小さな寸法を有することができ、したがってアンカロッドは長く引き伸ばされたプレートとして構成されている。さらに好ましくは幅は、横方向広がりの寸法よりも小さい寸法を有する。さらに幅は、横方向広がりと同じ寸法を有することができ、したがってアンカロッドは正方形の断面を有する。さらに好ましくは幅は、横方向広がりよりも大きな寸法を有する。さらに好ましくはアンカロッドの断面は、多角形、円形、楕円形または幾何学的に未定義（不定形）に構成することができる。
【００１７】
アンカロッドの第１の端部には接続フランジが配置されている。接続フランジは、接続体を、さらなる風力発電装置−タワーリングセグメントに装入される第２の接続体と接続するように構成されている。接続フランジは、好ましく実質的に矩形のエレメントとして構成されており、このエレメントは、アンカロッドに横方向広がりに対して平行なフランジ横方向広がり、アンカロッドの幅に対して平行な高さ、およびアンカロッドの長手伸長部に対して平行なフランジ幅を有する。ここで好ましくはフランジ横方向広がりは、アンカロッドの横方向広がりよりも大きな寸法を有し、および／または高さは、アンカロッドの幅よりも大きな寸法を有する。フランジ横方向広がりと接続フランジの高さは、扁平な伸長部を形成し、この伸長部の面垂線はアンカロッドの縦方向広がりに対して実質的に平行に延在する。
【００１８】
さらにアンカロッドは好ましくは、接続フランジの扁平な伸長部の中央に配置されており、この中央は横方向広がりの中央および／または高さの中央に関連することができる。接続フランジの伸長部は、アンカロッドの前記伸長部に対して平行に延在しなくてもよく、したがってこれらの間にゼロ度ではない角度が生じる。接続フランジはさらに、正方形、三角形、多角形または楕円形の断面を有することができる。その代わりに好ましくは接続フランジは、丸い断面、とりわけ円形の断面を有する。
【００１９】
接続フランジの外周面は、好ましくは部分的にまたは完全に、アンカロッドの外周面よりもアンカロッドの中央軸からさらに離間している。とりわけこの外周面は、好ましくは接続フランジに含まれる開口部を通って固定手段が貫通案内可能であるように離間されている。接続フランジの幅は、好ましくは、接続フランジが２つのタワーリングセグメントを接続するための力を吸収することができるように寸法設定されている。このことはとりわけ、タワーの組み立て中の力に対して、および風力発電装置の運転中の力に対して当てはまる。
【００２０】
接続フランジはさらに、好ましくは開口部を有し、これら開口部は、固定手段を受け入れるように構成されている。開口部は、この目的のための開口部の貫通方向に対して直交して好ましくは円形の断面を有する。さらに好ましくはこの断面は、スリット状または多角形である。さらにこれら開口部は貫通方向を有することができ、この貫通方向は、接続フランジの扁平な伸長部の面垂線に対して実質的に平行であり、したがってアンカロッドの縦方向広がりに対しても実質的に平行である。
【００２１】
接続フランジは、アンカロッドの第１の端部と好ましくは脱着不能に、或いは好ましくは脱着可能に接続されている。脱着不能な接続は、例えば溶接接合によって形成することができる。さらに接続は、アンカロッドおよび接続フランジの製造プロセス時にすでに形成しておくことができる。このことは例えば、２つの構成要素が鋳造品であるか、および／または個別の部材材料から作製されていることにより行われる。脱着可能な接続は、好ましくはネジまたはボルト接続によって行われる。さらに接続は、溝−ばね接続、圧縮ばね、蟻継ぎ式接続および／または連結金具によって行うことができる。さらに例えばアンカロッドの第１の端部にあて板部材（ないし継ぎ板部材 Anschlag）を介して形成することのできる形状結合的な接続も可能である。
【００２２】
さらにアンカロッドを接続フランジと接続するために、第３の構成部材を使用することもできる。この第３の構成部材は、アンカロッドと接続フランジを脱着可能または脱着不能な接続によって互いに接続する。接続フランジとアンカロッドとの接続は、とりわけこれらが、２つのタワーリングセグメントを接続するための力を吸収できるように寸法設定される。このことは、タワーの組み立て中の力に対しても、風力発電装置の運転中の力に対しても当てはまる。
【００２３】
本発明によれば接続体は２つ、３つ、またはそれ以上のアンカ要素を有し、これらアンカ要素は、アンカロッドの第２の端部に隣接する部分に配置されており、したがってアンカ要素は好ましくは、タワーリングセグメントに装入されるアンカロッドの部分に存在する。アンカ要素は、とりわけアンカロッドをタワーリングセグメントに固定するために用いられる。したがってアンカロッドは、とりわけ長手方向に、アンカロッドの第１の端部に掛かる大きな引張力を吸収することができ、その結果、引張力が掛けられても長手方向に格別の運動を実施しない。アンカ要素は好ましくは、風力発電装置−タワーの長手軸に対して実質的に平行であり、さらに好ましくはアンカロッドの長手軸に対して直交するように配向されている。
【００２４】
アンカロッドをタワーリングセグメントにアンカ要素によって確実に固定することを保証するためには、アンカ要素をアンカロッドに相応に固定することが必要である。好ましくはアンカ要素は、アンカロッドに作用する引張力、とりわけ第１の端部で作用する引張力がアンカ要素へ、そしてこれを介してタワーリングセグメントへ導入されるようにアンカロッドに固定されている。したがってアンカ要素は、好ましくは脱着不能かつ剛性に、それぞれアンカロッドと例えば溶接接合によって結合されている。  
【００２５】
接続体の材料は、好ましくはとりわけ、引張力を吸収するのと、コンクリートを含む本体に装入するのに適する。好ましくは接続体または接続体の個々の構成部分は、金属材料、好ましくは鋼、とりわけステンレス鋼、および／または非鉄金属を含み、またはそれらの材料の１つないしそれらの材料の組み合わせから作製されている。その代わりに好ましくは、接続体または接続体の個々の構成部分は１つまたは複数のプラスチックを含み、あるいは１つまたは複数のプラスチックから作製されている。さらに好ましくは、アンカロッドおよび／または接続フランジおよび／またはアンカ要素は、異なる材料を含み、または異なる材料から作製されている。
【００２６】
本発明の接続体の適用分野は、タワーリングセグメントの接続を超えることができる。さらに接続体は、垂直方向に互いに隣接して配置されていて１つの水平の突合せ部を形成する２つの風力発電装置−タワー部分を互いに接続するために使用することができる。この目的のために、接続体は風力発電装置−タワー部分内に、タワーの長手伸長部に対して実質的に平行に配置されており、したがって接続体は、タワーの伸長方向に対して実質的に平行に延在する力方向に接続されるようになる。この適用事例に対しては、ここに記載する他の実施形態も相応に当てはまるが、９０°回転した取り付け位置を基準にする相応の適合が、とりわけ水平、垂直、下方および／または上方の位置合わせ等を基準にする実施形態に関して行われる。
【００２７】
接続体の好ましい一変形実施形態では、アンカ要素はアンカロッドの長手軸から実質的に直交して離れるように伸長する。かくてアンカ要素は、９０度の角度でアンカロッドの長手軸から離れるように伸長する。好ましくはそれぞれ２つのアンカ要素は、アンカロッドの同じ個所で長手方向に、平行に延在する２つの反対の方向でアンカロッドから離れるように伸長する。或いは好ましくは、それぞれ２つのアンカ要素は、アンカロッドの長手方向にずらされて、平行に延在する２つの反対の方向でアンカロッドから離れるように伸長する。かくてアンカ要素の伸長方向は常に平行とすることができる。或いは好ましくは、伸長方向は平行ではなく、好ましくは互いに直角に延在する。アンカロッドの長手軸に対して直交してアンカ要素を配置することがとりわけ有利である。なぜならそれにより、接続体とタワーリングセグメントの接続が特に強固に補強されるからである。
【００２８】
接続体のさらなる好ましい一変形形態では、アンカ要素はスタッドボルト（Kopfbolzen）として構成されている。ヘッドスタッドボルト（Kopfbolzenduebel）とも称されるスタッドボルトは、通常、長手軸に対して直交する、好ましくは円形の断面を有するピンを備えるエレメントであり、円形の断面はその長手伸長部の一方の端部にこの断面の肉厚部を有する。その長手伸長部の他方の端部によってスタッドボルトは、好ましくはアンカロッドに固定されており、この固定は好ましくは脱着不能に、またはその代わりに好ましくは脱着可能に構成されている。溶接技術的接合が特に好ましく、ここではとりわけ光アークボルト溶接が使用される。スタッドボルトは、好ましくは金属材料、とりわけ鋼から、特に好ましくはステンレス材料から作製されている。さらに好ましくはスタッドボルトは、プラスチックから作製されている。
【００２９】
好ましい一変形実施形態では、アンカロッドの上側およびアンカロッドの下側にそれぞれ同数のアンカ要素が、好ましくは対向して配置されている。アンカロッドの上側は、風力発電装置−タワーの長手軸に対して実質的に平行に延在する面垂線を有し、この面は、風力発電装置に取り付けた状態では風力発電装置のナセルに向いている。アンカロッドの下側は、風力発電装置−タワーの長手軸に対して実質的に平行に延在する面垂線を有し、この面は、風力発電装置に取り付けた状態では風力発電装置の基礎部に向いている。好ましくは、それぞれ２つのアンカ要素が設けられており、これらのうちの１つが上側に、１つが下側に配置されており、これらは同じ長手軸を有し、したがってこれらは対向して配置されている。
【００３０】
特に好ましい一変形実施形態では、接続フランジは２つの開口部を有し、これらの開口部は、それぞれ固定手段によって貫通されるように構成されている。開口部は好ましくは、アンカロッドの長手伸長部に対して実質的に平行に延在する貫通方向を有する。開口部はさらに、好ましくは貫通方向に対して直交する断面を有し、この断面は好ましくは丸く、とりわけ円形である。或いは好ましくは断面は、スリット状または矩形に構成されている。設けられた固定手段は、これらの開口部を貫通することができる。
【００３１】
開口部は好ましくは貫通開口部として構成されており、したがってこれらの開口部は、入口領域とこの入口領域とは異なる出口領域を有する。さらに好ましくは、開口部は遊底開口部として、好ましくは有底孔部として構成されている。特に好ましくは、これらの開口部を通って案内される固定手段に、取り付け状態および運転状態では操作者が、例えば保守目的で到達することができるように２つの開口部が配置されている。とりわけ固定手段は、固定機器等によって達成することができる。
【００３２】
ここに記載する接続体の幾何形状（立体形状）は、本願の枠内で、形状がタワーリングセグメントないしタワー部分のリング形状に適合された構成も含み、接続体のアンカロッドは対応してタワーリングセグメントないしタワー部分の周方向に配向されている。しかし接続体の寸法に比較して部分リングセグメントないしタワー部分の半径は、通常、格段に大きいので、この実施形態もここに記載する幾何形状に含まれる。直交のような記述および他の幾何学的記述は、タワーリングセグメントないしタワー部分のリング形状に構成が適合されている場合、相応に適合して理解される。
【００３３】
さらなる好ましい一変形形態では、接続フランジの開口部はそれぞれ１つの内ネジを有する。内ネジは、とりわけ接続フランジの開口部の内周面に、または内周面内に取り付けられている。内ネジは、とりわけ固定手段を受け入れるために用いられ、この固定手段は、好ましくは外周面を備える円形の断面を有する。とりわけこの外周面は、内ネジに対応（螺合）する外ネジを有する。内ネジは、好ましくは開口部の入口領域から出口領域にまで完全に伸長する。したがって対応の外ネジを有する固定手段は、部分的にまたは完全に開口部を通って、および／またはこれに入り込んでねじ留めすることができる。
【００３４】
さらなる好ましい一変形実施形態では、アンカロッドはその長手軸に対して直交して円形または矩形の断面を有する。円形の断面は、中心軸、好ましくはアンカロッドの長手軸を中心に好ましくは一定の半径を有することができる。さらに半径はこの中心軸を中心に変化することもでき、したがって例えば楕円形の断面が発生する。矩形の断面は、好ましくは４つの同じ角を有し、これらの角度はアンカロッド断面のそれぞれ２つの辺により形成される。アンカロッド断面の４つの辺のうちのそれぞれ対向する辺は、好ましくは同じ寸法を有する。
【００３５】
さらなる好ましい一変形形態では、接続フランジおよび／またはアンカ要素はアンカロッドと、好ましくは溶接により材料的（stoffschluessig）に結合されている。材料的な結合は、接合相手方が原子および／または分子レベルの力によって保持されるようにこの接合相手方を接続する。材料的な結合は、例えばろう付け、接着、加硫および／または溶接によって形成することができる。溶接および溶接の亜種、とりわけ溶融溶接およびプレス溶接は、多くの金属材料を接合するのに特に適する。
【００３６】
さらなる好ましい一変形形態では、接続フランジおよび／またはアンカ要素および／またはアンカロッドは鋼を有するか、または鋼から作製されている。さらに特に好ましくは、接続フランジおよび／またはアンカ要素および／またはアンカロッドは、鋳造材ないし鋳造材料を含むか、またはこれから作製されている。さらに接続フランジおよび／またはアンカ要素および／またはアンカロッドは非鉄（ＮＥ）金属、例えば特殊合金、から作製されているか、またはそれを含む。さらに好ましくは接続フランジおよび／またはアンカ要素および／またはアンカロッドはプラスチックから作製されているか、またはそれを含み、とりわけ抗張力の大きいプラスチック、例えば繊維強化プラスチック、が好ましい。さらに接続フランジおよび／またはアンカ要素および／またはアンカロッドは、コンクリート、とりわけ高強度コンクリート、から作製されているか、またはそれを含む。
【００３７】
本発明のさらなる視点によれば、冒頭に述べた課題は風力発電装置−タワーリングセグメントによって解決され、このタワーリングセグメントは外套セグメントとして、好ましくはコンクリート体として、構成されており、少なくとも１つのさらなるタワーリングセグメントの突合せ箇所に宛がうための２つの突合せ箇所と、各突合せ箇所の領域にある少なくとも１つの切欠部とを有し、タワーリングセグメントには各突合せ箇所の領域においてそれぞれ１つの接続体、とりわけ前記変形実施形態の少なくとも１つによる接続体が装入されており、これによりアンカロッドの第２の端部がアンカ要素と共にタワーリングセグメント内に隠され、かつアンカロッドの第１の端部が接続フランジと共に切欠部に突出している。
【００３８】
好ましくはコンクリート体として構成された風力発電装置−タワーリングセグメントは、とりわけ補強されたコンクリート体、とりわけ鉄筋コンクリート体および／またはプレストレストコンクリート体である。さらに好ましくは、風力発電装置−タワーリングセグメントは、とりわけ工業的にあらかじめ製造されたプレキャストコンクリートとして存在する。
【００３９】
タワーリングセグメントは、実質的に垂直の少なくとも２つの突合せ箇所で、さらなるタワーリングセグメントに突き合う。ここで少なくとも２つの垂直の突合せ部は、好ましくはタワー部分の高さと実質的に同じ垂直の寸法を有する。突合せ箇所には少なくとも１つの切欠部が存在しており、この切欠部は好ましくは、一方では第１のタワーリングセグメントに、他方では第２のタワーリングセグメントに配置されている。この切欠部には、２つの異なる、好ましくは隣接する、タワーリングセグメントにそれぞれ装入（埋設）された、好ましくは本発明の接続体の２つの第１の端部が突き出ている。第１の端部に配置された接続フランジは、接続フランジが固定手段によって互いに接続されることにより、タワーリングセグメントを互いに接続するために用いられる。
【００４０】
本発明のさらなる視点によれば冒頭に述べた課題は、少なくとも１つの第１と第２の風力発電装置−タワーリングセグメント、とりわけ前記視点による２つのタワーリングセグメントを含む風力発電装置−タワー部分によって解決され、２つのタワーリングセグメントはそれぞれ外套セグメントとして、好ましくはコンクリート体として、構成されており、それらの突合せ箇所が少なくとも１つの実質的に垂直の突合せ部において互いに突き合っており、第１と第２のタワーリングセグメントには、各突合せ箇所の領域においてそれぞれ１つの接続体、とりわけ前記変形実施形態の少なくとも１つによる接続体が装入されており、これによりアンカロッドの第２の端部がアンカ要素と共にタワーリングセグメント内に隠され、かつアンカロッドの第１の端部が接続フランジと共に切欠部に突出し、前記突合せ部の領域では、第１と第２のタワーリングセグメントの接続体の接続フランジが互いに接続されている。
【００４１】
タワー部分は、好ましくは完全に円形に構成され、タワーリングの半径に対して直交する高さを有するタワーリングとして構成されている。タワーリングは好ましくは実質的に壁によって形成され、外周面と内周面が形成される。タワー部分は、少なくとも第１と第２のタワーリングセグメントをさらに含み、これらのタワーリングセグメントは、全部で２つのタワーリングセグメントの場合、それぞれ例えば１８０度の角度広がりを有する。さらにタワー部分は２を超えるタワーリングセグメントも含むことができ、これらのタワーリングセグメントは、好ましくは合計で３６０度の角度広がりを有する。タワー部分をタワーリングセグメントに分割することは、輸送が簡単であるという利点を提供する。なぜなら特定の直径を有するタワー部分は、通常の輸送車で従来のように搬送することがもはやできないからである。
【００４２】
タワーリングセグメントは、好ましくはそれぞれ外套セグメントとして、好ましくはコンクリート体として構成されている。好ましくはコンクリート体は、さらに好ましくは補強コンクリート体として、とりわけ鉄筋コンクリート体および／またはプレストレストコンクリート体として構成されている。さらに好ましいコンクリート体は、好ましくはプレキャストコンクリートとして設けることができ、したがってこれは工業的にあらかじめ製造することができる。
【００４３】
タワーリングセグメントの突合せ箇所は、実質的に垂直の少なくとも１つの突合せ部において互いに突き合っている。ここで少なくとも１つの垂直の突合せ部は、好ましくはタワー部分の高さと実質的に同じ垂直の寸法を有する。例えばそれぞれ１８０度の角度広がりを有するタワーリングセグメントが２つある場合、タワー部分は実質的に垂直の突合せ部を全部で２つ含む。したがって１タワー部分当たりの突合せ部の数は、１タワー部分当たりのタワーリングセグメントの数が増えると増大する。
【００４４】
突合せ部の領域には切欠部が配置されている。切欠部は好ましくは一方の半分が、突合せ部で隣接する第１のタワーリングセグメント内に配置され、他方の半分は突合せ部で隣接する第２のタワーリングセグメント内に配置されている。切欠部は好ましくは、接続体に適合された幾何形状、例えば正方形の形状を有し、切欠部の寸法は、好ましくは接続フランジが、取り付け状態で切欠部の外縁と接触しない大きさである。このことは特に有利である。なぜならこれにより接続部が実質的に引張負荷を受け、上記の知識を考慮して保守の少ない接続が可能になるからである。
【００４５】
風力発電装置−タワー部分の接続体は、好ましくは本発明の前記視点の１つにしたがって構成されている。さらなる一変形形態では、突合せ部に１つを超える切欠部が設けられている。このことは、タワー部分が１つ超の切欠部を設けることを可能にする高さを有する場合に特に有利である。個々の突合せ部にある切欠部は、好ましくは垂直に上下に重ねて配置されており、好ましくはそれぞれ垂直方向の間隔を有する。
【００４６】
本発明によれば第１と第２のタワーリングセグメントの第１の端部は切欠部に突入しており、これにより第１の端部に配置された接続フランジを互いに接続することができる。
【００４７】
風力発電装置−タワー部分の好ましい一変形形態では、第１と第２のタワーリングセグメントの接続体の接続フランジは、固定手段を介して、好ましくは脱着可能に、互いに接続されている、あるいは接続される。接続フランジは好ましくはそれぞれ開口部、とりわけそれぞれ２つの開口部、を有し、これらの開口部を通って固定手段が貫通することができる。接続フランジのそれぞれの開口部は、好ましくは別の接続フランジの開口部と同じ中央軸を有し、したがってこれら２つの開口部は、好ましくは実質的に同心に配置されている。２つの同心に配置された開口部を通して固定手段が好ましくは導入される。脱着可能な固定手段が特に好ましく、固定手段はとりわけねじ留め可能な固定手段として構成されている。
【００４８】
本発明のさらなる一視点によれば冒頭に述べた課題は、前記視点の少なくとも１つによる、規定どおりに上下に配置された複数の風力発電装置−タワー部分を含む風力発電装置−タワーによって解決され、好ましくは隣接するタワー部分の突合せ部は互いにずらして宛がわれている。「ずらして」とは、上下に重ねて配置された２つのタワー部分の突合せ部の継ぎ目が垂直に重なって配置されていないことを意味する。互いにずらして配置された突合せ部はタワーの剛性を高めることができる。
【００４９】
本発明のさらなる一視点によれば冒頭に述べた課題は、前記視点による風力発電装置−タワーを含む風力発電装置によって解決される。この風力発電装置は、通常、タワーの他に、タワー上に配置されたナセルを含み、ナセルは通常は３つのロータブレードを備える空気力学的ロータと、好ましくは１つのスピナを有する。空気力学的ロータは、通常、風力発電装置の運転時に風によって回転運動され、これにより通常は発電機のロータまたは回転子も回転させ、発電機は通常、空気力学的ロータと直接または間接的に結合することができる。電気発電機は通常、電気エネルギーを生成するためにナセル内に配置されている。
【００５０】
本発明のさらなる一視点によれば冒頭に述べた課題は、タワーリングセグメント、とりわけ前記視点の少なくとも１つによるタワーリングセグメントの製造方法によって解決される。この方法は、タワーリングセグメントを製造するためのコンクリート型枠または型枠を準備する工程、接続体、とりわけ前記変形実施形態の少なくとも１つによる接続体をコンクリート型枠または型枠内に、接続体のアンカロッドの第１の端部が接続フランジと共に突合せ箇所の領域に配置された切欠部から突き出るように位置決めする工程、コンクリート型枠または型枠にコンクリートを流し込む工程、コンクリートを硬化させる工程、およびコンクリート型枠または型枠からタワーリングセグメントを取り外す工程、を含む。
【００５１】
とりわけ好ましくは補強された（強化）コンクリートが使用され、好ましくは補強部材は、コンクリート型枠または型枠にコンクリートが注ぎ込まれる前に、および／または打ち込まれる前に位置決めされる。場合によっては複数のタワーセグメントを同時に製作し、これらのタワーセグメントは、その硬化および取り外し後に互いに分離することができる。ここでタワーリングセグメントは、好ましくは、コンクリート型枠または型枠に、これらが規定どおりに風力発電装置−タワー部分および／または風力発電装置−タワーに配置されるように互いに配置される。
【００５２】
本発明のさらなる一視点によれば冒頭に述べた課題は、２つのタワーリングセグメントを１つの風力発電装置−タワー部分に、とりわけ前記視点の少なくとも１つによる風力発電装置−タワー部分に接続するための方法によって解決される。この方法は、少なくとも１つの第１と第２の風力発電装置−タワーリングセグメント、とりわけ前記視点の少なくとも１つによる第１と第２の風力発電装置−タワーリングセグメントを提供する工程と、第１と第２の風力発電装置−タワーリングセグメントの２つの接続フランジを互いに接続する工程と、を含む。２つの接続フランジを互いに接続することは、好ましくは固定手段、とりわけネジ接続によって行われる。
【００５３】
本発明のさらなる一視点によれば冒頭に述べた課題は、垂直に隣接して互いに配置され、水平の突合せ部を形成する２つの風力発電装置−タワー部分を接続する方法によって解決される。この目的のために接続体は、風力発電装置−タワー部分内にタワーの長手伸長部に対して実質的に平行に配置されており、したがって接続体の接続は、タワーの伸長方向に対して実質的に平行に延在する力方向で行われる。この適用事例に対しては、ここに記載したその他の形態も相応に当てはまる。しかし９０度回転された取り付け位置を基準にする相応の適合が、とりわけ水平、垂直、下方および／または上方の配向等を基準にする形態に関して行われる。
【００５４】
本発明のさらなる一視点によれば冒頭に述べた課題は、第１のあて板部材を含む第１の組付け要素と、第２のあて板部材を含む第２の組付け要素と、を備える前記の接続体のための組付け装置であって、前記第１のあて板部材には少なくとも２つの第１の支柱（Stempel）が互いに離間されて当該第１のあて板部材の同じ側に配置されており、前記第２のあて板部材には少なくとも２つの第２の支柱が互いに離間されて当該第２のあて板部材の同じ側に配置されており、接続された２つの接続体のアンカロッドが、直交する方向で第１と第２のあて板部材の間に締め付けられるように対向して配置され構成されている、組付け装置によって解決される。
【００５５】
この組付け装置は、とりわけ、取り付け状態において力、とりわけせん断力を吸収するために用いられ、接続部が動作状態において実質的に力を受けないようにする。しかし取り付け状態において、例えば接続されたタワーリングセグメントをずらすべき場合、または移動すべき場合、接続の高い安定性をこの方向においても保証するために、これらの力を伝達するのが有意義であり、望ましい場合もある。取り付け終了後の設置の完了した状態では、組付け装置が好ましくは再び除去され、この方向での力の伝達を低減ないし回避する。これにより接続部の保守頻度が格段に低減される。
【００５６】
さらに組付け装置は２つの組付け要素を有し、これら組付け要素は、例えばプレートとして構成することができ、好ましくは互いに対向するあて板部材（ないし継ぎ板部材）を有する。これらあて板部材は、好ましくは互いに向き合う、プレートに対して直交して配向された支柱を有し、これらの支柱は好ましくはあて板部材に対して直交して拡張可能である。これにより接続された２つの接続体のアンカロッドを、それらあて板部材の間で締め付けることができる。支柱は、例えば下でさらに説明するように、ネジスリーブ内に案内される保持要素として構成することができる。
【００５７】
好ましい一発展形態によれば、前記組付け装置は、第１のあて板部材を含む第１の組付け要素と、第２のあて板部材を含む第２の組付け要素と、を備えるように構成されており、前記第１のあて板部材にはそれぞれネジを備える少なくとも２つの第１のネジスリーブが互いに離間されて前記第１のあて板部材の同じ側に配置されており、前記第２のあて板部材にはそれぞれネジを備える少なくとも２つの下方ネジスリーブが互いに離間されて前記第２のあて板部材の同じ側に配置されており、前記第１と第２のネジスリーブにはそれぞれ１つの保持要素が配置されており、該保持要素は、前記ネジスリーブのネジに対応するそれぞれ１つのネジを有し、前記保持要素は、当該保持要素が配置された前記ネジスリーブの中央軸を基準にして軸方向の運動が実施されるように配置され構成されている。
【００５８】
これらさらなる視点のさらなる利点、変形実施例および実施の詳細並びにそれらの可能な発展形態に関しては、接続体の対応の特徴および発展形態についての前の説明も参照されたい。
【００５９】
本発明の好ましい変形実施形態を、例として、添付図面に基づき説明する。
【図面の簡単な説明】
【００６０】
【図１】一風力発電装置の概略図である。
【図２】一タワー部分の水平部分断面図である。
【図３】一接続体の長手断面図である。
【図４】２つの接続フランジの垂直断面図である。
【図５】２つの接続フランジの水平断面図である。
【図６】一接続フランジのさらなる図である。
【図７】組付け装置を備える、図４による２つの接続フランジの垂直断面図である。
【図８】図７による組付け装置の組付け要素の平面図である。
【実施例】
【００６１】
図１は、本発明の一風力発電装置の概略図である。風力発電装置１００は、一タワー１０２と、タワー１０２上の一ナセル１０４を有する。ナセル１０４には、３つのロータブレード１０８と一スピナ１１０を備える一空気力学的ロータ１０６が設けられている。空気力学的ロータ１０６は、風力発電装置の稼働時に風によって回転運動され、これにより一発電機のロータおよび回転子も回転し、発電機は空気力学的ロータ１０６と直接または間接的に結合されている。電気発電機はナセル１０４内に配置されており、電気エネルギーを生成する。タワー１０２は複数のタワー部分２００を含み、これらタワー部分は実質的に第１のタワーリングセグメント２１０と第２のタワーリングセグメント２２０から形成されている。タワーリングセグメントは、第１の突合せ部２５０および第２の突合せ部（図示せず）において互いに突き合っている。
【００６２】
図２は、一タワー部分２００の水平部分断面を示す。タワー部分２００は、第１のタワーリングセグメント２１０と第２のタワーリングセグメント２２０を含む。これらは垂直の突合せ部２５０において互いに突き合っている。第１のタワーリングセグメント２１０は第１の接続体３００を、第２のタワーリングセグメント２２０は第２の接続体３０１を有する。
【００６３】
第１の接続体３００は、第１の端部３１１から第２の端部３１２まで伸長する第１のアンカロッド３１０を含む。アンカロッド３１０は実質的に矩形の幾何形状を有し、このアンカロッドは軽い湾曲を有する。なぜならアンカロッドはタワーリングセグメント２１０の壁に対して実質的に平行に延在するからである。アンカロッドはさらにアンカ要素３１３を有し、これらアンカ要素はアンカロッド３１０に対して直交し、かつタワー部分２００の長手軸に対して平行に延在し、一領域において第２の端部３１２に隣接して配置されている。全部で１０のアンカ要素３１３がアンカロッド３１０に配置されており、それらのうちの５つは上側に、５つは下側に配置されており、アンカ要素を有する下側は図示されていない。第１の接続体３００の第２の端部３１２、およびこの端部に隣接する、アンカ要素３１３を備える領域は、第１のタワーリングセグメント２１０内に配置されている。
【００６４】
第２の接続体３０１も同様に、第１の端部３２１と第２の端部３２２を備えるアンカロッド３２０を有し、第２の端部３２２に隣接する領域には同様にアンカ要素３２３が配置されている。第２の接続体３０１も同様に、タワーリングセグメント２１０の壁に対して平行に配置されており、その第２の端部３２２およびそれに隣接する、アンカ要素３２３を備える領域は第２のタワーリングセグメント２２０内に配置されている。
【００６５】
さらにタワー部分２００は突合せ部２５０において切欠部２３０を含む。この切欠部は、一方の半部分までが第１のタワーリングセグメント２１０内に、他方の半部分までが第２のタワーリングセグメント内に取り付けられている。アンカロッドの第１の端部３１１，３２１は切欠部２３０に突入しており、互いに接続されている。
【００６６】
特に図２から分かるように、接続体３００，３０１の形状はタワーリングセグメント２００のリング形状に適合されており、したがってアンカロッド３１１，３１２（３１０，３２０）は相応してタワーリングセグメント２００の周方向に配向されている。しかし通常は接続体の寸法と比較して、部分リングセグメントないしタワー部分の半径は格段に大きいから、この実施形態もここに記載するジオメトリに含まれる。とりわけ、直交のような記述および他の幾何学的記述は、接続体３００，３０１がタワーリングセグメント２００のリング形状に適合されているこの構成では、相応に適合して理解すべきである。
【００６７】
図３は、アンカロッド４１０を備える接続体４００のさらなる変形実施形態の長手断面図である。ここではアンカロッド４１０が第１の端部４１１から第２の端部４１２まで長手伸長方向に沿って縦に伸長しており、これに対して直交する幅Ｄを有する。アンカロッド４１０の第１の端部４１１には第１の接続フランジ４３０が配置されており、この接続フランジはアンカロッド４１０の幅Ｄに対して平行方向の高さＨを有する。第１の接続フランジ４３０の高さＨの寸法は、アンカロッド４１０の幅Ｄよりも大きい。第１の接続フランジ４３０の高さＨの寸法は、固定手段４５１，４５２、ここではネジを、接続フランジ４３０に取り付けられた貫通孔４７１，４７２に導入することができるように選択されている。貫通孔４７１，４７２は、アンカロッド４１０の縦方向広がりに対して平行に延在する貫通方向を有する。
【００６８】
さらに第１の接続フランジ４３０には第２の接続フランジ４４０が配置されている。第２の接続フランジ４４０は第２の接続体の構成部分であり、第２の接続体のアンカロッド４２０に第２の接続フランジ４４０が配置されている。第２の接続フランジ４４０は、第１の接続フランジ４３０に類似して構成されている。接続フランジ４３０，４４０は、固定手段４５１が第１の接続フランジ４３０の上方貫通孔４７１と第２の接続フランジ４４０の上方貫通孔４８１を通って、かつ固定手段４５２が第１の接続フランジ４３０の下方貫通孔４７２と第２の接続フランジ４４０の下方貫通孔４８２を通って完全にないし部分的に貫通案内されるように互いに接続されている。上方貫通孔４７１，４８１は共通の通路を有する。下方貫通孔４７２，４８２も同様に共通の通路を有する。固定手段４５１，４５２は、出口側で対応のエレメント４６１，４６２によって確保され、これにより第１と第２の接続フランジ４３０，４４０の間の接続が形成される。好ましくは固定手段としてネジが、対応のエレメントとしてナットが選択される。第１の接続フランジ４３０と第２の接続フランジ４４０との接続は、好ましくは２つのタワーリングセグメントの切欠部内で行われる。補充的にまたはその代わりに、貫通孔４７１，４７２および／または貫通孔４８１，４８２は内ネジを有し、この内ネジに固定手段４５１，４５２をねじ留めすることができる。
【００６９】
第１のアンカロッド４１０の第２の端部４１２に隣接する領域内には、全部で４つの第１のアンカ要素４１３が配置されており、これらはここではスタッドボルト（Kopfbolzen）として構成されている。第１のアンカ要素４１３は、第１のアンカロッド４１０から直交して伸長し、第１のアンカロッド４１０の幅Ｄに対して平行の方向に離れるよう突き出ている。第１のアンカロッド４１０の一方の側には２つの第１のアンカ要素４１３が存在し、これらに対向して、第１のアンカロッド４１０の他方の側には２つのさらなる第１のアンカ要素４１３が存在する。
【００７０】
図４は、２つの接続フランジ４３０，４４０の垂直断面図である。２つの接続フランジは、固定手段４５１，４５２と対応のエレメント４６１，４６２によって互いに接続されており、第１の接続体４００ないし第２の接続体４０１の構成部分が図示されている。第１の接続フランジ４３０は第１のアンカロッド４１０と、第２の接続フランジ４４０は第２のアンカロッド４２０と接続されており、接続部は切欠部２３０内に配置されている。アンカロッド４１０，４２０はタワーリングセグメント２１０，２２０（図４には部分的にだけ図示されている）に装入（埋設）され、その中に固定されているから、この配置構成は、タワーリングセグメント２１０，２２０を互いに突合せ部２５０において接続するために用いられる。
【００７１】
図５は、図４の２つの接続フランジ４３０，４４０の水平断面図であり、切欠部２３０内に配置された第１と第２のアンカロッド４１０，４２０を備える。図６は、切欠部（切欠凹所）２３０内に配置された接続フランジ４４０とアンカロッド４２０のさらなる図である。
【００７２】
第１の接続体３００，４００を第２の接続体３０１，４０１と接続することにより、保守の少ないタワーリングセグメント２１０，２２０の接続が可能になる。保守の少ない接続は、従来の接続と比較して、２つの保守間の時間間隔が比較的に長い長期の保守サイクルを特徴とする。そこから一方では人件費の掛かる保守作業が稀であることによるコスト削減の利点が得られ、他方では風力発電装置の安全性が向上する。
【００７３】
したがって保守サイクルは、本発明の接続体を使用する場合、比較的に長い時間間隔を有する。なぜなら、第１のアンカロッド３１０，４１０が第２のアンカロッド３２０，４２０と接続されている接続箇所においては、アンカロッド３１０，３２０，４１０，４２０の縦方向広がりに対して実質的に平行に延在する力が作用するからである。接続箇所とは、第１のアンカロッド３１０，４１０の第１の端部３１１，４１１が第２のアンカロッド３２０の第１の端部３２１に、第１の接続フランジ４３０および第２の接続フランジ４４０並びにこれら接続フランジを接続する固定手段４５１，４５２と対応のエレメント４６１，４６２とによって接続されている箇所である。
【００７４】
アンカロッド３１０，３２０，４１０，４２０の縦方向広がりに対して実質的に平行に延在する、２つの隣接するタワーリングセグメント２１０，２２０を接続するための力は、アンカロッド３１０，３２０，４１０，４２０の第１の端部３１１，３２１，４１１と接続フランジ４３０，４４０とが、アンカロッド３１０，３２０，４１０，４２０の縦方向広がりの周囲に自由空間を提供する切欠部２３０内に配置されており、接続体を通る、あるいは接続体に掛かるせん断力および／またはせん断応力が、とりわけ接続フランジ４３０，４４０の箇所において低減され、これにより接続部、好ましくはネジ接続部がせん断力および／またはせん断応力を吸収しなくてもよいか、または非常に僅かだけ吸収すればよいことによってさらに実現される。せん断力および／またはせん断応力を吸収しなくてもよいか、または僅かだけ吸収すればよい接続部は、格段に小さな保守頻度を有することが判明した。この有利な配置構成は、とりわけ図４，５および６に示されている。かくて突合せ部２５０で互いに突き合うタワーリングセグメント２１０，２２０は、より確実に、より小さな保守頻度で接続することができる。
【００７５】
さらに切欠部２３０と、この切欠部内で行われた接続、好ましくはネジ接続は、接続部の簡単で確実な検査を可能にする。なぜならこの接続部を、保守を実施する人員がより良好に観察することができるからである。これにより一方では、接続部の検査が小さな時間的手間暇と結び付く。他方では、接続部の検査が検査員による良好な予測力と結び付く。なぜなら接続部を直接見ることができ、したがって検査は高い妥当性を有するからである。これにより風力発電装置１００の安全性がさらに向上する。このことは特に、しばしばモルタルで埋められ、したがって見ることのできないタワーリングセグメントの従来の接続に対する利点である。
【００７６】
図７は、組付け装置を備える、図４の２つの接続フランジの垂直断面図である。組付け装置５０は、第１の組付け要素５１０と第２の組付け要素５２０を含む。第１の組付け要素５１０は、プレート部材として構成された第１のあて板部材（ないし継ぎ板部材）５１１を含む。第１のあて板部材５１１は、第１の端部５１１１から第２の端部５１１２まで伸長している。第１の端部５１１１に隣接する領域には第１のネジスリーブ５１２（ここでは左に図示）が配置されており、したがって第１のネジスリーブ５１２は、第１のアンカロッド４１０に向いた第１のあて板部材５１１の端部５１１１に配置されている。この第１のネジスリーブ５１２の第１のあて板部材５１１との接続は、ここでは溶接継ぎ目によって実現されている。
【００７７】
第１のあて板部材５１１の第２の端部５１１２に隣接する領域には、別の第１のネジスリーブ５１２（ここでは右に図示）に類似する、さらなる第１のネジスリーブ５１５が配置されている。したがってこのさらなる第１のネジスリーブ５１５は、第２のアンカロッド４２０に向いた第１のあて板部材５１１の端部５１１２に配置されている。さらなる第１のネジスリーブ５１５も同様に内ネジを有する。さらに第１のネジスリーブ５１２には第１の保持要素５１３が、さらなる第１のネジスリーブ５１５にはさらなる第１の保持要素５１６が配置されている。保持要素５１３，５１６は、ネジスリーブ５１２，５１５の内ネジに対してそれぞれ対応する外ネジを有し、それぞれ部分的にネジスリーブにねじ込まれている。
【００７８】
第２の組付け要素５２０は、第１の組付け要素５１０と基本的に同じ構造を有する。第２のあて板部材５２１が第１の端部５２１１から第２の端部５２１２まで伸長し、２つの端部５２１１と５２１２に隣接する領域には２つのネジスリーブ５２２，５２５が配置されている。第２のネジスリーブ５２２，５２５も同様に内ネジを有し、第２のネジスリーブ５２２には２つの保持要素５２３，５２６がねじ込まれている。さらに保持要素５１３，５１６，５２３，５２６は、この実施例ではそれぞれ第１ないし第２の六角体５１４，５１７，５２４，５２７を有し、これらは保持要素の所属のあて板部材５１１，５２１に向いた端部に配置されており、したがってアンカロッド４１０，４２０に当接することができる。
【００７９】
第１と第２の組付け要素５１０，５２０は、少なくとも２つのタワーリングセグメントの突合せ部の領域にある切欠部内に配置される。この配置は、第１の端部から第２の端部までの伸長方向がアンカロッドの長手伸長部に対して実質的に平行に延在するように行われる。さらに第１と第２の組付け要素５１０，５２０は、１つの第１のネジスリーブ５１２の中央軸と１つの第２のネジスリーブ５２２の中央軸とが第１のアンカロッド４１０と交差するように配置される。これにより保持要素５１３，５２３は、突出長が十分であればアンカロッド４１０に当接する。保持要素を例えば六角体５１４，５２３において回転することにより、生じる軸方向運動によってアンカロッドの実質的に垂直の運動を達成することができる。
【００８０】
同じ結果は、さらなる第１の保持要素５１６とさらなる第２の保持要素５２６を、例えば六角体５１７，５２７において回転することによって達成することができる。アンカロッドの垂直の運動により、アンカロッド４３０，４４０に配置された接続フランジ４３０，４４０は、フランジに配置された上方貫通孔４７１，４８１が共通の貫通軸を有し、フランジに配置された下方貫通孔４７２，４８２も同様に共通の貫通孔を有するように配向することができる。これによってフランジと固定手段４５１，４５２および対応のエレメント４６１，４６２との接続が大きく簡素化される。
【００８１】
図８は、図７の組付け装置の組付け要素の平面図である。組付け要素５１０は、第１の端部５１１１と第２の端部５１１２との間に長手伸長部を有する。さらに組付け要素５１０は、この長手伸長部に対して直交する幅を有する。長手伸長部と幅は直交面を備える平面を形成し、この平面上には２つの第１のネジスリーブ５１２，５１５が配置されており、ネジスリーブ５１２，５１５の中央軸は直交面に対して実質的に平行に延在する。
【００８２】
本発明において以下の形態が可能である。
（形態１）
風力発電装置−タワーリングセグメントに装入するための接続体、すなわち第１の接続体であって、
第１の端部および第２の端部を備えるアンカロッドと、
前記アンカロッドの第１の端部に配置された接続フランジであって、前記接続体を、さらなる風力発電装置−タワーリングセグメントに装入される第２の接続体と接続し、それにより２つの風力発電装置−タワーリングセグメントを接続し、少なくともそれらの接続を支援するための接続フランジと、
前記アンカロッドの第２の端部に隣接する部分に配置された２つ、３つまたはそれ以上のアンカ要素と、を含む接続体。
（形態２）
前記アンカ要素は、前記アンカロッドの長手軸から実質的に直交して離れるように伸長している、
および／または
前記アンカ要素はスタッドボルトとして構成されている、ことを特徴とする好ましくは形態１に記載の接続体。
（形態３）
前記アンカロッドの上側および前記アンカロッドの下側には、それぞれ同数のアンカ要素が、好ましくは対向して、配置されている、ことを特徴とする好ましくは形態１または２に記載の接続体。
（形態４）
前記接続フランジは２つの開口部を有し、当該開口部はそれぞれ１つの固定手段により貫通されるように構成されており、前記接続フランジの開口部は、好ましくはそれぞれ１つの内ネジを有する、ことを特徴とする好ましくは形態１から３のいずれか一に記載の接続体。
（形態５）
前記アンカロッドは、その長手軸に対して直交する、円形または矩形の断面を有する、ことを特徴とする好ましくは形態１から４のいずれか一に記載の接続体。
（形態６）
前記接続フランジおよび／または前記アンカ要素は、前記アンカロッドと材料的に結合して、好ましくは溶接により、接続されている、ことを特徴とする好ましくは形態１から５のいずれか一に記載の接続体。
（形態７）
前記接続フランジおよび／または前記アンカ要素および／または前記アンカロッドは鋼を有するか、または鋼から作製されている、ことを特徴とする好ましくは形態１から６のいずれか一に記載の接続体。
（形態８）
風力発電装置−タワーリングセグメントであって、前記風力発電装置−タワーリングセグメントは外套セグメントとして、好ましくはコンクリート体として、構成されており、少なくとも１つのさらなる風力発電装置−タワーリングセグメントの突合せ箇所に宛がうための２つの突合せ箇所と、各突合せ箇所の領域にある少なくとも１つの切欠部とを有し、
前記タワーリングセグメントには各突合せ箇所の領域においてそれぞれ１つの接続体、とりわけ形態１から７のいずれか一による接続体が装入されており、これによりアンカロッドの第２の端部がアンカ要素と共に風力発電装置−タワーリングセグメント内に隠され、かつ前記アンカロッドの第１の端部が接続フランジと共に切欠部に突き出ている、風力発電装置−タワーリングセグメント。
（形態９）
少なくとも第１と第２の風力発電装置−タワーリングセグメント、とりわけ形態１から８のいずれか一による第１と第２の風力発電装置−タワーリングセグメントを含む風力発電装置−タワー部分であって、
前記２つの風力発電装置−タワーリングセグメントは、それぞれ外套セグメントとして、好ましくはコンクリート体として、構成されており、それらの突合せ箇所が少なくとも１つの実質的に垂直の突合せ部において互いに突き合っており、
前記第１と第２の風力発電装置−タワーリングセグメントには、各突合せ箇所の領域においてそれぞれ１つの接続体、とりわけ形態１から８のいずれか一による接続体が装入されており、これによりアンカロッドの第２の端部がアンカ要素と共に風力発電装置−タワーリングセグメント内に隠され、かつ前記アンカロッドの第１の端部が接続フランジと共に切欠部に突出し、
前記突合せ部の領域では、第１と第２の風力発電装置−タワーリングセグメントの接続体の前記接続フランジが互いに接続されている、風力発電装置−タワー部分。
（形態１０）
第１と第２の風力発電装置−タワーリングセグメントの接続体の前記接続フランジは、固定手段を介して、好ましくは脱着可能に、互いに結合されている、好ましくは形態９に記載の風力発電装置−タワー部分。
（形態１１）
規定どおりに上下に重ねて配置された複数の、好ましくは形態９または１０による風力発電装置−タワー部分を含む風力発電装置−タワーであって、隣接する風力発電装置−タワー部分の突合せ部は、好ましくは互いにずらして宛がわれている、風力発電装置−タワー。
（形態１２）
好ましくは形態１１による風力発電装置−タワーを含む風力発電装置。
（形態１３）
風力発電装置−タワーリングセグメント、とりわけ形態１０による風力発電装置−タワーリングセグメントの製造方法であって、
・風力発電装置−タワーリングセグメントを製造するためのコンクリート型枠または型枠を準備する工程、
・接続体、とりわけ形態１から９のいずれか一による接続体をコンクリート型枠または型枠内に、前記接続体のアンカロッドの第１の端部が接続フランジと共に突合せ箇所の領域に配置された切欠部から突き出るように位置決めする工程、
・前記コンクリート型枠または型枠にコンクリートを流し込む工程、
・コンクリートを硬化させる工程、
・前記コンクリート型枠または型枠から風力発電装置−タワーリングセグメントを取り外す工程、
を含む製造方法。
（形態１４）
２つの風力発電装置−タワーリングセグメントを１つの風力発電装置−タワー部分、とりわけ形態１１または１２による風力発電装置−タワー部分に接続する方法であって、
・少なくとも１つの第１と第２の風力発電装置−タワーリングセグメント、とりわけ形態１０による第１と第２の風力発電装置−タワーリングセグメントを提供する工程、
・第１と第２の風力発電装置−タワーリングセグメントの２つの接続フランジを互いに接続する工程、
を含む接続方法。
（形態１５）
好ましくは形態１から７のいずれか一による接続体のための組付け装置であって、
・第１のあて板部材を含む第１の組付け要素と、第２のあて板部材を含む第２の組付け要素と、を有し、
・前記第１のあて板部材には、少なくとも２つの第１の支柱が互いに離間されて当該第１のあて板部材の同じ側に配置されており、
・前記第２のあて板部材には、少なくとも２つの第２の支柱が互いに離間されて当該第２のあて板部材の同じ側に配置されており、
前記第１と第２の支柱は、接続された２つの接続体のアンカロッドが、直交する方向で第１と第２のあて板部材の間に締め付けられるように対向して配置され構成されている、組付け装置。
【符号の説明】
【００８３】
１００  風力発電装置
１０２  タワー
１０４  ナセル
１０６  ロータ
１０８  ロータブレード
１１０  スピナ
２００  タワー部分
２１０  第１のタワーリングセグメント
２２０  第２のタワーリングセグメント
２３０  切欠部（切欠凹所）
２５０  突合せ部
３００，４００  第１の接続体
３０１，４０１  第２の接続体
３１０，４１０  第１のアンカロッド
３１１，４１１  第１のアンカロッドの第１の端部
３１２，４１２  第２のアンカロッドの第２の端部
３１３，４１３  第１のアンカ要素
３２０，４２０  第２のアンカロッド
３２１  第２のアンカロッドの第１の端部
３２２  第２のアンカロッドの第２の端部
３２３  第２のアンカ要素
４３０  第１の接続フランジ
４４０  第２の接続フランジ
４５１，４５２  固定手段
４６１，４６２  対応のエレメント
４７１，４８１  上方貫通孔
４７２，４８２  下方貫通孔
５０  組付け装置
５１０  第１の組付け要素
５１１  第１のあて板部材（継ぎ板部材）
５１２，５１５  第１のネジスリーブ（支柱）
５１３，５１６  第１の保持要素
５１４，５１７  第１の六角体
５２０  第２の組付け要素
５２１  第２のあて板部材（継ぎ板部材）
５２２，５２５  第２のネジスリーブ（支柱）
５２３，５２６  第２の保持要素
５２４，５２７  第２の六角体
５１１１  第１のあて板部材の第１の端部
５１１２  第１のあて板部材の第２の端部
５２１１  第２のあて板部材の第１の端部
５２１２  第２のあて板部材の第２の端部
Ｄ  アンカロッドの幅
Ｈ  接続フランジの高さ
L  長手伸長方向
【国際調査報告】
2019513920.tif 000011
2019513920.tif 000012
2019513920.tif 000013
2019513920.tif 000014
2019513920.tif 000015
2019513920.tif 000016